(57)【特許請求の範囲】
【請求項１】
管理対象物に関する属性情報を一意の識別情報に対応付けて記憶した記憶部と、
前記属性情報を示す２次元コードと、前記属性情報が対応付けられた前記識別情報を示すカラーコードとを有する、前記属性情報が前記記憶部に記憶されている前記管理対象物に貼付される第１のコードを生成する第１の生成部と、
前記属性情報が対応付けられていない前記識別情報を示すカラーコードを有する、前記属性情報が前記記憶部に記憶されていない前記管理対象物に貼付される第２のコードを生成する第２の生成部と、
を有することを特徴とする情報処理装置。
【請求項２】
請求項１に記載の情報処理装置であって、
前記第２のコードが貼付される前記管理対象物の前記属性情報を受付ける受付部をさらに有し、
前記受付部が受付けた前記属性情報は、前記第２のコードのカラーコードが示す前記識別情報に対応付けられて前記記憶部に記憶される、
ことを特徴とする情報処理装置。
【請求項３】
請求項２に記載の情報処理装置であって、
前記第２のコードのカラーコードが示す前記識別情報に対応して前記記憶部に記憶された前記属性情報を示す２次元コードを生成する第３の生成部をさらに有する、
ことを特徴とする情報処理装置。
【請求項４】
請求項１〜３のいずれか１項に記載の情報処理装置であって、
前記記憶部には、前記第１のコードまたは前記第２のコードが印刷されたことを示す情報と、前記管理対象物に前記第１のコードが貼付され、前記管理対象物が正式登録されたことを示す情報と、前記管理対象物に前記第２のコードが貼付され、前記管理対象物が正式登録されていないことを示す情報とのいずれかを示すステータス情報が記憶される、
ことを特徴とする情報処理装置。
【請求項５】
請求項１〜４のいずれか１項に記載の情報処理装置であって、
前記第２の生成部は、前記第２のコードに前記属性情報を示すコードが含まれていないことを示すカラーコードを含めて生成する、
ことを特徴とする情報処理装置。
【請求項６】
請求項１〜５のいずれか１項に記載の情報処理装置であって、
前記第２の生成部は、前記第２のコードが有しているカラーコードが示す前記識別情報を文字として含める、
ことを特徴とする情報処理装置。
【請求項７】
撮影部と、
一意の識別情報を示す第１のカラーコードと、前記識別情報に対応付けられた管理対象物の属性情報を示す２次元コードとを有する、前記管理対象物に貼付された第１の貼付部材であって、前記撮影部によって撮影された前記第１の貼付部材の前記第１のカラーコードを検出する第１の検出部と、
前記第１のカラーコードと、前記２次元コードが貼付されていないこと示す第２のカラーコードとを有する、前記管理対象物に貼付された第２の貼付部材であって、前記撮影部によって撮影された前記第２の貼付部材の前記第１のカラーコードおよび前記第２のカラーコードを検出する第２の検出部と、
を有することを特徴とする端末装置。
【請求項８】
請求項７に記載の端末装置であって、
前記第１の検出部による前記第１の貼付部材の前記第１のカラーコードの検出に応じて、前記管理対象物が正規の管理対象物であるか否かの旨を表示装置に表示する第１の表示部をさらに有する、
ことを特徴とする端末装置。
【請求項９】
請求項７または８に記載の端末装置であって、
前記第２の検出部による前記第２の貼付部材の前記第１のカラーコードおよび前記第２のカラーコードの検出に応じて、前記第２の貼付部材に前記２次元コードが貼付されていない旨を表示装置に表示する第２の表示部をさらに有する、
ことを特徴とする端末装置。
【請求項１０】
請求項７〜９のいずれか１項に記載の端末装置であって、
情報処理装置から前記識別情報と、前記属性情報と、前記第１の貼付部材または前記第２の貼付部材が印刷されたことを示す情報、前記管理対象物に前記第１の貼付部材が貼付され、前記管理対象物が正式登録されたことを示す情報、および前記管理対象物に前記第２の貼付部材が貼付され、前記管理対象物が正式登録されていないことを示す情報のいずれかを示すステータス情報とを有するリスト情報を受信する受信部と、
前記第１の検出部および前記第２の検出部の検出に基づいて、前記受信部が受信した前記リスト情報を更新する更新部と、
前記更新部によって更新された前記リスト情報を前記情報処理装置に送信する送信部と、
を有することを特徴とする端末装置。
【請求項１１】
請求項１０に記載の端末装置であって、
前記第２の貼付部材に貼付された前記２次元コードを検出する第３の検出部と、
前記第２の貼付部材が有する前記第１のカラーコードを検出する第４の検出部と、
前記第４の検出部が検出した前記第１のカラーコードに対応する前記属性情報を、前記リスト情報を参照して取得する取得部と、
前記取得部が取得した前記属性情報と、前記第３の検出部が検出した前記２次元コードが示す前記属性情報とを比較する比較部と、
前記撮影部が撮影する前記管理対象物を表示装置に表示するとともに、前記比較部の比較結果を前記表示装置に表示する表示部と、
をさらに有することを特徴とする端末装置。
【請求項１２】
請求項１０に記載の端末装置であって、
前記第２の貼付部材に貼付される前記２次元コードを検出する第３の検出部と、
前記第３の検出部によって検出された前記２次元コードが示す前記属性情報に対応する前記識別情報を、前記リスト情報を参照して取得する取得部と、
前記取得部によって取得された前記識別情報と、前記第２の検出部によって検出される、前記管理対象物に貼付された前記第２の貼付部材の前記第１のカラーコードが示す前記識別情報とが一致する場合、前記管理対象物とともに前記第２の貼付部材に前記２次元コードを貼付するように表示装置に表示する表示部と、
をさらに有することを特徴とする端末装置。
【請求項１３】
一意の識別情報を示す第１のカラーコードと、管理対象物の属性情報を示す２次元コードが貼付される領域とを有し、
前記領域には、前記２次元コードが貼付されていないことを示す第２のカラーコードが表示されており、
前記第１のカラーコードの所定方向の所定範囲内に前記第２のカラーコードが表示されていることを特徴とする前記管理対象物に貼付される貼付部材。
【請求項１４】
請求項１３に記載の貼付部材であって、
文字で示された前記識別情報をさらに有する、
ことを特徴とする貼付部材。
【請求項１５】
一意の識別情報を示す第１のカラーコードと、管理対象物の属性情報を示す２次元コードが貼付される領域と、４つのマーカーとを有し、
前記領域には、前記２次元コードが貼付されていないことを示す第２のカラーコードが表示されており、
前記第１のカラーコードおよび前記第２のカラーコードは、前記４つのマーカーを結んで得られる四角形状内に表示されていることを特徴とする前記管理対象物に貼付される貼付部材。
【請求項１６】
請求項１５に記載の貼付部材であって、
文字で示された前記識別情報をさらに有する、
ことを特徴とする貼付部材。
【請求項１７】
管理対象物に関する属性情報を一意の識別情報に対応付けて記憶した記憶部を備えた情報処理装置のコード生成方法であって、
前記属性情報を示す２次元コードと、前記属性情報が対応付けられた前記識別情報を示すカラーコードとを有する、前記属性情報が前記記憶部に記憶されている前記管理対象物に貼付される第１のコードを生成する第１の生成ステップと、
前記属性情報が対応付けられていない前記識別情報を示すカラーコードを有する、前記属性情報が前記記憶部に記憶されていない前記管理対象物に貼付される第２のコードを生成する第２の生成ステップと、
を有することを特徴とするコード生成方法。
【請求項１８】
撮影部を備えた端末装置のコード検出方法であって、
一意の識別情報を示す第１のカラーコードと、前記識別情報に対応付けられた管理対象物の属性情報を示す２次元コードとを有する、前記管理対象物に貼付された第１の貼付部材であって、前記撮影部によって撮影された前記第１の貼付部材の前記第１のカラーコードを検出する第１の検出ステップと、
前記第１のカラーコードと、前記２次元コードが貼付されていないこと示す第２のカラーコードとを有する、前記管理対象物に貼付された第２の貼付部材であって、前記撮影部によって撮影された前記第２の貼付部材の前記第１のカラーコードおよび前記第２のカラーコードを検出する第２の検出ステップと、
を有することを特徴とするコード検出方法。
【請求項１９】
管理対象物に関する属性情報を一意の識別情報に対応付けて記憶した記憶部を備えた情報処理装置のプログラムであって、
前記プログラムは、
前記属性情報を示す２次元コードと、前記属性情報が対応付けられた前記識別情報を示すカラーコードとを有する、前記属性情報が前記記憶部に記憶されている前記管理対象物に貼付される第１のコードを生成する第１の生成ステップと、
前記属性情報が対応付けられていない前記識別情報を示すカラーコードを有する、前記属性情報が前記記憶部に記憶されていない前記管理対象物に貼付される第２のコードを生成する第２の生成ステップと、
を前記情報処理装置に実行させることを特徴とするプログラム。
【請求項２０】
撮影部を備えた端末装置のプログラムであって、
一意の識別情報を示す第１のカラーコードと、前記識別情報に対応付けられた管理対象物の属性情報を示す２次元コードとを有する、前記管理対象物に貼付された第１の貼付部材であって、前記撮影部によって撮影された前記第１の貼付部材の前記第１のカラーコードを検出する第１の検出ステップと、
前記第１のカラーコードと、前記２次元コードが貼付されていないこと示す第２のカラーコードとを有する、前記管理対象物に貼付された第２の貼付部材であって、前記撮影部によって撮影された前記第２の貼付部材の前記第１のカラーコードおよび前記第２のカラーコードを検出する第２の検出ステップと、
を前記端末装置に実行させることを特徴とするプログラム。
【請求項２１】
情報処理装置と端末装置とを備えた管理対象物管理システムであって、
前記情報処理装置は、
管理対象物に関する属性情報を一意の識別情報に対応付けて記憶した記憶部と、
前記属性情報を示す２次元コードと、前記属性情報が対応付けられた前記識別情報を示す第１のカラーコードとを有する、前記属性情報が前記記憶部に記憶されている前記管理対象物に貼付される第１のコードを生成する第１の生成部と、
前記属性情報が対応付けられていない前記識別情報を示す第２のカラーコードと前記２次元コードを有していないことを示す第３のカラーコードとを有する、前記属性情報が前記記憶部に記憶されていない前記管理対象物に貼付される第２のコードを生成する第２の生成部と、を有し、
前記端末装置は、
撮影部と、
前記撮影部によって撮影される前記第１のカラーコードを検出する第１の検出部と、
前記撮影部によって撮影される前記第２のカラーコードと前記第３のカラーコードとを検出する第２の検出部と、を有する、
ことを特徴とする管理対象物管理システム。
【請求項２２】
情報処理装置と端末装置とを備える管理対象物管理システムの管理対象物管理方法であって、
前記情報処理装置は、管理対象物に関する属性情報を一意の識別情報に対応付けて記憶した記憶部を備え、
前記属性情報を示す２次元コードと、前記属性情報が対応付けられた前記識別情報を示す第１のカラーコードとを有する、前記属性情報が前記記憶部に記憶されている前記管理対象物に貼付される第１のコードを生成する第１の生成ステップと、
前記属性情報が対応付けられていない前記識別情報を示す第２のカラーコードと前記２次元コードを有していないことを示す第３のカラーコードとを有する、前記属性情報が前記記憶部に記憶されていない前記管理対象物に貼付される第２のコードを生成する第２の生成ステップと、を有し、
前記端末装置は、撮影部を備え、
前記撮影部によって撮影される前記第１のカラーコードを検出する第１の検出ステップと、
前記撮影部によって撮影される前記第２のカラーコードと前記第３のカラーコードとを検出する第２の検出ステップと、を有する、
ことを特徴とする管理対象物管理方法。
【発明の詳細な説明】
【技術分野】
【０００１】
情報処理装置、端末装置、貼付部材、コード生成方法、コード検出方法、プログラム、管理対象物管理システム、および管理対象物管理方法に関するものである。
【背景技術】
【０００２】
棚卸等の資産を管理する方法には、例えば、資産情報データベースを基にバーコードを作成し、資産に貼り付けて管理するものがある。棚卸の際は、そのバーコードを読み取り、バーコードを読み取ったことを示すシールなどを貼るなどして、棚卸の完了とする。【０００３】
なお、従来、無線タグ回路素子の損傷を回避しつつ、カラー識別子つきの無線タグラベルを効率的に作成するタグラベル作成装置が提案されている（例えば、特許文献１参照）。
【先行技術文献】
【特許文献】
【０００４】
【特許文献１】特開２００９−２３７６７０号公報
【発明の概要】
【発明が解決しようとする課題】
【０００５】
ところで、棚卸を代行する棚卸代行業者が存在する。棚卸代行業者は、例えば、棚卸を委託したクライアントへ出向き、クライアントが有する資産にバーコードを貼付するなどして棚卸を実施する。【０００６】
しかし、棚卸代行業者は、棚卸実施のためにクライアント先へ何回か出向かなければならない場合がある。そのため、従来の棚卸作業は、非効率であるという問題点がある。【０００７】
そこで本発明は、資産等の管理対象物のより効率的な管理を行うことができる技術を提供することを目的とする。
【課題を解決するための手段】
【０００８】
本願は、上記課題の少なくとも一部を解決する手段を複数含んでいるが、その例を挙げるならば、以下の通りである。上記課題を解決すべく、本発明に係る情報処理装置は、管理対象物に関する属性情報を一意の識別情報に対応付けて記憶した記憶部と、前記属性情報を示す２次元コードと、前記属性情報が対応付けられた前記識別情報を示すカラーコードとを有する、前記属性情報が前記記憶部に記憶されている前記管理対象物に貼付される第１のコードを生成する第１の生成部と、前記属性情報が対応付けられていない前記識別情報を示すカラーコードを有する、前記属性情報が前記記憶部に記憶されていない前記管理対象物に貼付される第２のコードを生成する第２の生成部と、を有することを特徴とする。【０００９】
また、上記の情報処理装置においては、前記第２のコードが貼付される前記管理対象物の前記属性情報を受付ける受付部をさらに有し、前記受付部が受付けた前記属性情報は、前記第２のコードのカラーコードが示す前記識別情報に対応付けられて前記記憶部に記憶される、ことを特徴とするものであってもよい。【００１０】
また、上記の情報処理装置においては、前記第２のコードのカラーコードが示す前記識別情報に対応して前記記憶部に記憶された前記属性情報を示す２次元コードを生成する第３の生成部をさらに有する、ことを特徴とするものであってもよい。【００１１】
また、上記の情報処理装置においては、前記記憶部には、前記第１のコードまたは前記第２のコードが印刷されたことを示す情報と、前記管理対象物に前記第１のコードが貼付され、前記管理対象物が正式登録されたことを示す情報と、前記管理対象物に前記第２のコードが貼付され、前記管理対象物が正式登録されていないことを示す情報とのいずれかを示すステータス情報が記憶される、ことを特徴とするものであってもよい。【００１２】
また、上記の情報処理装置においては、前記第２の生成部は、前記第２のコードに前記属性情報を示すコードが含まれていないことを示すカラーコードを含めて生成する、ことを特徴とするものであってもよい。【００１３】
また、上記の情報処理装置においては、前記第２の生成部は、前記第２のコードが有しているカラーコードが示す前記識別情報を文字として含める、ことを特徴とするものであってもよい。【００１４】
また、本発明に係る端末装置は、撮影部と、一意の識別情報を示す第１のカラーコードと、前記識別情報に対応付けられた管理対象物の属性情報を示す２次元コードとを有する、前記管理対象物に貼付された第１の貼付部材であって、前記撮影部によって撮影された前記第１の貼付部材の前記第１のカラーコードを検出する第１の検出部と、前記第１のカラーコードと、前記２次元コードが貼付されていないこと示す第２のカラーコードとを有する、前記管理対象物に貼付された第２の貼付部材であって、前記撮影部によって撮影された前記第２の貼付部材の前記第１のカラーコードおよび前記第２のカラーコードを検出する第２の検出部と、を有することを特徴とする。【００１５】
また、上記の端末装置においては、前記第１の検出部による前記第１の貼付部材の前記第１のカラーコードの検出に応じて、前記管理対象物が正規の管理対象物であるか否かの旨を表示装置に表示する第１の表示部をさらに有する、ことを特徴とするものであってもよい。【００１６】
また、上記の端末装置においては、前記第２の検出部による前記第２の貼付部材の前記第１のカラーコードおよび前記第２のカラーコードの検出に応じて、前記第２の貼付部材に前記２次元コードが貼付されていない旨を表示装置に表示する第２の表示部をさらに有する、ことを特徴とするものであってもよい。【００１７】
また、上記の端末装置においては、情報処理装置から前記識別情報と、前記属性情報と、前記第１の貼付部材または前記第２の貼付部材が印刷されたことを示す情報、前記管理対象物に前記第１の貼付部材が貼付され、前記管理対象物が正式登録されたことを示す情報、および前記管理対象物に前記第２の貼付部材が貼付され、前記管理対象物が正式登録されていないことを示す情報のいずれかを示すステータス情報とを有するリスト情報を受信する受信部と、前記第１の検出部および前記第２の検出部の検出に基づいて、前記受信部が受信した前記リスト情報を更新する更新部と、前記更新部によって更新された前記リスト情報を前記情報処理装置に送信する送信部と、を有することを特徴とするものであってもよい。【００１８】
また、上記の端末装置においては、前記第２の貼付部材に貼付された前記２次元コードを検出する第３の検出部と、前記第２の貼付部材が有する前記第１のカラーコードを検出する第４の検出部と、前記第４の検出部が検出した前記第１のカラーコードに対応する前記属性情報を、前記リスト情報を参照して取得する取得部と、前記取得部が取得した前記属性情報と、前記第３の検出部が検出した前記２次元コードが示す前記属性情報とを比較する比較部と、前記撮影部が撮影する前記管理対象物を表示装置に表示するとともに、前記比較部の比較結果を前記表示装置に表示する表示部と、をさらに有することを特徴とするものであってもよい。【００１９】
また、上記の端末装置においては、前記第２の貼付部材に貼付される前記２次元コードを検出する第３の検出部と、前記第３の検出部によって検出された前記２次元コードが示す前記属性情報に対応する前記識別情報を、前記リスト情報を参照して取得する取得部と、前記取得部によって取得された前記識別情報と、前記第２の検出部によって検出される、前記管理対象物に貼付された前記第２の貼付部材の前記第１のカラーコードが示す前記識別情報とが一致する場合、前記管理対象物とともに前記第２の貼付部材に前記２次元コードを貼付するように表示装置に表示する表示部と、をさらに有することを特徴とするものであってもよい。【００２０】
また、本発明に係る貼付部材は、一意の識別情報を示すカラーコードと、管理対象物の属性情報を示す２次元コードとを有し、前記管理対象物に貼付されることを特徴とする。【００２１】
また、上記の貼付部材においては、文字で示された前記識別情報をさらに有する、ことを特徴とするものであってもよい。【００２２】
また、本発明に係る貼付部材は、一意の識別情報を示すカラーコードと、管理対象物の属性情報を示す２次元コードが貼付される領域とを有し、前記管理対象物に貼付されることを特徴とする。【００２３】
また、上記の貼付部材においては、前記領域には、前記２次元コードが貼付されていないことを示すカラーコードが表示されている、ことを特徴とするものであってもよい。【００２４】
また、上記の貼付部材においては、文字で示された前記識別情報をさらに有する、ことを特徴とするものであってもよい。【００２５】
また、本発明に係る管理対象物に関する属性情報を一意の識別情報に対応付けて記憶した記憶部を備えた情報処理装置のコード生成方法は、前記属性情報を示す２次元コードと、前記属性情報が対応付けられた前記識別情報を示すカラーコードとを有する、前記属性情報が前記記憶部に記憶されている前記管理対象物に貼付される第１のコードを生成する第１の生成ステップと、前記属性情報が対応付けられていない前記識別情報を示すカラーコードを有する、前記属性情報が前記記憶部に記憶されていない前記管理対象物に貼付される第２のコードを生成する第２の生成ステップと、を有することを特徴とする。【００２６】
また、本発明に係る撮影部を備えた端末装置のコード検出方法は、一意の識別情報を示す第１のカラーコードと、前記識別情報に対応付けられた管理対象物の属性情報を示す２次元コードとを有する、前記管理対象物に貼付された第１の貼付部材であって、前記撮影部によって撮影された前記第１の貼付部材の前記第１のカラーコードを検出する第１の検出ステップと、前記第１のカラーコードと、前記２次元コードが貼付されていないこと示す第２のカラーコードとを有する、前記管理対象物に貼付された第２の貼付部材であって、前記撮影部によって撮影された前記第２の貼付部材の前記第１のカラーコードおよび前記第２のカラーコードを検出する第２の検出ステップと、を有することを特徴とする。【００２７】
また、本発明に係る管理対象物に関する属性情報を一意の識別情報に対応付けて記憶した記憶部を備えた情報処理装置のプログラムは、前記属性情報を示す２次元コードと、前記属性情報が対応付けられた前記識別情報を示すカラーコードとを有する、前記属性情報が前記記憶部に記憶されている前記管理対象物に貼付される第１のコードを生成する第１の生成ステップと、前記属性情報が対応付けられていない前記識別情報を示すカラーコードを有する、前記属性情報が前記記憶部に記憶されていない前記管理対象物に貼付される第２のコードを生成する第２の生成ステップと、を前記情報処理装置に実行させることを特徴とする。【００２８】
また、本発明に係る撮影部を備えた端末装置のプログラムは、一意の識別情報を示す第１のカラーコードと、前記識別情報に対応付けられた管理対象物の属性情報を示す２次元コードとを有する、前記管理対象物に貼付された第１の貼付部材であって、前記撮影部によって撮影された前記第１の貼付部材の前記第１のカラーコードを検出する第１の検出ステップと、前記第１のカラーコードと、前記２次元コードが貼付されていないこと示す第２のカラーコードとを有する、前記管理対象物に貼付された第２の貼付部材であって、前記撮影部によって撮影された前記第２の貼付部材の前記第１のカラーコードおよび前記第２のカラーコードを検出する第２の検出ステップと、を前記端末装置に実行させることを特徴とする。【００２９】
また、本発明に係る情報処理装置と端末装置とを備えた管理対象物管理システムは、前記情報処理装置は、管理対象物に関する属性情報を一意の識別情報に対応付けて記憶した記憶部と、前記属性情報を示す２次元コードと、前記属性情報が対応付けられた前記識別情報を示す第１のカラーコードとを有する、前記属性情報が前記記憶部に記憶されている前記管理対象物に貼付される第１のコードを生成する第１の生成部と、前記属性情報が対応付けられていない前記識別情報を示す第２のカラーコードと前記２次元コードを有していないことを示す第３のカラーコードとを有する、前記属性情報が前記記憶部に記憶されていない前記管理対象物に貼付される第２のコードを生成する第２の生成部と、を有し、前記端末装置は、撮影部と、前記撮影部によって撮影される前記第１のカラーコードを検出する第１の検出部と、前記撮影部によって撮影される前記第２のカラーコードと前記第３のカラーコードとを検出する第２の検出部と、を有する、ことを特徴とする。【００３０】
また、本発明に係る情報処理装置と端末装置とを備える管理対象物管理システムの管理対象物管理方法は、前記情報処理装置は、管理対象物に関する属性情報を一意の識別情報に対応付けて記憶した記憶部を備え、前記属性情報を示す２次元コードと、前記属性情報が対応付けられた前記識別情報を示す第１のカラーコードとを有する、前記属性情報が前記記憶部に記憶されている前記管理対象物に貼付される第１のコードを生成する第１の生成ステップと、前記属性情報が対応付けられていない前記識別情報を示す第２のカラーコードと前記２次元コードを有していないことを示す第３のカラーコードとを有する、前記属性情報が前記記憶部に記憶されていない前記管理対象物に貼付される第２のコードを生成する第２の生成ステップと、を有し、前記端末装置は、撮影部を備え、前記撮影部によって撮影される前記第１のカラーコードを検出する第１の検出ステップと、前記撮影部によって撮影される前記第２のカラーコードと前記第３のカラーコードとを検出する第２の検出ステップと、を有する、ことを特徴とする。
【発明の効果】
【００３１】
本発明によれば、資産等の管理対象物のより効率的な管理を行うことができる。【００３２】
上記した以外の課題、構成、および効果は、以下の実施形態の説明により明らかにされる。
【図面の簡単な説明】
【００３３】
【図１】第１の実施の形態に係る資産管理システムの構成例を示した図である。
【図２】図１の資産管理システムで用いる貼付部材（タグ）について説明する図である。
【図３】図１、図２の資産管理システムの概略動作および利用者の作業の概略を説明する図である。
【図４】情報処理装置の機能ブロックの一例を示した図である。
【図５】記憶部に記憶される資産リストの一例を示した図である。
【図６】タブレット端末の機能ブロックの一例を示した図である。
【図７】情報処理装置のハードウェア構成例を示した図である。
【図８】タブレット端末のハードウェア構成例を示した図である。
【図９】情報処理装置による、コードの生成および印刷の動作例を示したフローチャートでる。
【図１０】タブレット端末による、未登録コードが貼付された機器情報の受付け動作例を示したフローチャートである。
【図１１】情報処理装置による、未登録コードが貼付された機器情報の登録動作例を示したフローチャートである。
【図１２】情報処理装置による、追加登録コードの生成の動作例を示したフローチャートである。
【図１３】タブレット端末による、棚卸および正式登録の動作例を示したフローチャートである。
【図１４】タブレット端末の棚卸の実施場所および実施者の情報を受付ける画面例を示した図である。
【図１５】タブレット端末のメニュー画面例を示した図である。
【図１６】タブレット端末の棚卸画面例を示した図である。
【図１７】情報処理装置による、資産リストの更新動作例を示したフローチャートである。
【図１８】第２の実施の形態に係るタブレット端末の機能ブロックの一例を示した図である。
【図１９】タブレット端末による、棚卸および正式登録の動作例を示したフローチャートである。
【図２０】タブレット端末の棚卸画面例を示した図である。
【図２１】第３の実施の形態に係るタブレット端末の機能ブロックの一例を示した図である。
【図２２】タブレット端末による、追加登録コードの貼付指示の動作例を示したフローチャートである。
【図２３】２次元コードを検出するための画面例を示した図である。
【図２４】カラーコードを撮影する前の画面例を示した図である。
【図２５】貼付対象機器を指示した画面例を示した図である。
【発明を実施するための形態】
【００３４】
［第１の実施の形態］
以下、本発明の第１の実施の形態について、図面を参照して説明する。
【００３５】
図１は、第１の実施の形態に係る資産管理システムの構成例を示した図である。図１には、事業所１，２が示してある。事業所１は、例えば、棚卸など、クライアントの資産管理を代行する業者の事業所である。事業所２は、業者によって資産管理が代行されるクライアントの事業所である。以下では、事業所２のクライアントの棚卸作業を、事業所１の業者が代行する例について説明する。
【００３６】
業者（以下、「棚卸代行業者」と呼ぶことがある）の事業所１は、情報処理装置１ａと、端末装置１ｂと、印刷装置１ｃと、ネットワーク１ｄとを有している。情報処理装置１ａと、端末装置１ｂと、印刷装置１ｃは、ネットワーク１ｄによって互いが接続されている。情報処理装置１ａは、例えば、サーバであり、ネットワーク１ｄは、例えば、ＬＡＮ（Local Area Network）などのネットワークである。
【００３７】
棚卸代行業者は、タブレット端末１ｅを有している。タブレット端末１ｅは、例えば、デジタルカメラを備えたタブレット端末である。タブレット端末１ｅは、棚卸作業の出先であるクライアントの事業所２において、棚卸代行業者またはクライアントによって使用される。なお、タブレット端末１ｅは、デジタルカメラを備えたノートパソコンやスマートフォン、ＰＤＡ（Personal Digital Assistant）などの携帯端末であってもよい。
【００３８】
情報処理装置１ａとタブレット端末１ｅは、ネットワーク３を介して通信を行うことができる。ネットワーク３は、例えば、インターネットおよび携帯電話網などの無線通信網を有したネットワークである。
【００３９】
図２は、図１の資産管理システムで用いる貼付部材（タグ）について説明する図である。図２には、図１に示した棚卸代行業者の事業所１と、棚卸作業を棚卸代行業者に委託したクライアントの事業所２とが示してある。また、図２には、図１に示した印刷装置１ｃと、タブレット端末１ｅとが示してある。
【００４０】
図２には、台紙１１，１３，１５が示してある。台紙１１，１３，１５は、棚卸代行業者により、印刷装置１ｃを用いて印刷される。
【００４１】
台紙１１は、複数の貼付部材を有している。複数の貼付部材は、例えば、シールであって、台紙１１からはがすことができる。台紙１１からはがされた貼付部材は、クライアントの資産に貼付される。以下では、台紙１１の貼付部材を、「登録済コード」と呼ぶことがある。
【００４２】
登録済コード１２は、台紙１１が有している複数の貼付部材の１つを拡大したものである。登録済コード１２には、２次元コード１２ａと、カラーコード１２ｂと、コード１２ｃとが印刷されている。
【００４３】
２次元コード１２ａは、例えば、四角形状の枠を有し、その四角形状の枠内の随所に、黒く塗りつぶされた小さな四角形状を複数有している。２次元コード１２ａは、黒く塗りつぶされた複数の四角形状の配置パターンによって、特定の情報を示す。また、２次元コードは、例えば、四角形状の枠の３つの角にマーカーを有している。２次元コード１２ａは、３つのマーカーによって、その位置が特定される。２次元コード１２ａには、例えば、ＱＲコード（登録商標）などを用いることができる。
【００４４】
カラーコード１２ｂは、例えば、四角形状の‘セル’を、黒色など、ある背景色の上に複数縦横に有している。複数のセル（セル群）のそれぞれには、色が付される。セル群は、付された各色またはその組み合わせによって、特定の情報が対応付けられる。すなわち、セル群に含まれる各セルは、付される色の数または色の組み合わせの種類に応じた情報量を持っていることになる。
【００４５】
カラーコード１２ｂの縦横に配置されたセル群のうち、例えば、最左列のセル群は、カラーコード１２ｂの位置を特定するための特定セルとして割り当てられる。これにより、カラーコード１２ｂは、その位置を特定することができる。また、カラーコード１２ｂのセル群のうち、例えば、最上列のセル群は、他のセル群で付される色を示したリファレンス領域となっている。これにより、カラーコード１２ｂは、セル群に付された色が周辺環境などの影響によって誤って読み取られても、セル群の色を正確に特定することができる。カラーコード１２ｂには、例えば、カメレオンコード（登録商標）などを用いることができる。
【００４６】
２次元コード１２ａは、例えば、カメラ等を近づけて接写しなければ、認識率が悪くなるが、カラーコード１２ｂは、接写しなくても認識率がよい。すなわち、カラーコード１２ｂは、遠くからカメラで撮影しても認識率がよい。そのため、カラーコード１２ｂは、複数を同時に撮影して、認識することが可能である。
【００４７】
もちろん、上述した２次元コード２ａと同様の機能や性能を実現できれば、２次元コード２ａに替えて他のコード（例えば、１次元バーコード）を用いるようにしてもよい。２次元コード２ａに替えてカラーコードを用いるようにしてもよい。また、上述したカラーコード１２ｂと同様の機能や性能を実現できれば、カラーコード１２ｂに替えて他のコードを用いるようにしてもよい。
【００４８】
コード１２ｃは、カラーコード１２ｂの示す情報を文字化したものである。例えば、コード１２ｃの「ｘｘｘｘｘ」の部分が、カラーコード１２ｂの示す情報を文字化したものである。
【００４９】
台紙１３は、複数の貼付部材を有している。複数の貼付部材は、例えば、シールであって、台紙１３からはがすことができる。台紙１３からはがされた貼付部材は、クライアントの資産に貼付される。以下では、台紙１３の貼付部材を、「未登録コード」と呼ぶことがある。
【００５０】
未登録コード１４は、台紙１３が有している複数の貼付部材の１つを拡大したものである。未登録コード１４には、カラーコード１４ａと、カラーコード１４ｂと、コード１４ｃとが印刷されている。カラーコード１４ａとカラーコード１４ｂは、接写をしなくても複数同時に認識できるコードであり、上記で説明したカラーコード１２ｂと同様の構成を有している。コード１４ｃは、カラーコード１４ｂの示す情報を文字化したものである。例えば、コード１４ｃの「ｙｙｙｙｙ」の部分が、カラーコード１４ｂの示す情報を文字化したものである。
【００５１】
台紙１５は、複数の貼付部材を有している。複数の貼付部材は、例えば、シールであって、台紙１５からはがすことができる。台紙１５からはがされた貼付部材は、未登録コード１４のカラーコード１４ｂに重ならないよう、カラーコード１４ａの上（追加登録コード１６が貼付される領域）に重ねて貼付される。以下では、台紙１５の貼付部材を、「追加登録コード」と呼ぶことがある。
【００５２】
追加登録コード１６は、台紙１５が有している複数の貼付部材の１つを拡大したものである。追加登録コード１６には、２次元コード１６ａと、コード１６ｂとが印刷されている。２次元コード１６ａは、上記で説明した２次元コード１２ａと同様の構成を有している。コード１６ｂは、以下で詳述するが、未登録コード１４のコード１４ｃに対応している。追加登録コード１６は、コード１６ｂと同じコード１４ｃを有する未登録コード１４に貼付される。
【００５３】
なお、未登録コード１４は、カラーコード１４ａの上に追加登録コード１６が重ねて貼付されると、登録済コード１２と同様の構成となる（ただし、追加登録コード１６が貼付された未登録コード１４は、コード１６ｂを有する点が、登録済コード１２と異なる）。すなわち、未登録コード１４は、カラーコード１４ｂと、２次元コード１６ａとを有したコードとなる。
【００５４】
なお、上記では、２次元コード１６ａとコード１６ｂとを有する追加登録コード１６が台紙１５からはがされるとしたが、２次元コード１６ａのみが台紙１５からはがされるようになっていてもよい。そして、台紙１５からはがされた２次元コード１６ａのみが、未登録コード１４のカラーコード１４ａの上に貼付されてもよい。
【００５５】
図２に示す資産１７ａ〜１７ｄは、クライアントが有する資産を示している。棚卸代行業者は、印刷装置１ｃで印刷した台紙１１，１３を持って、クライアントの事業所２へ出向き、台紙１１，１３から登録済コード１２および未登録コード１４をはがして、クライアントの資産１７ａ〜１７ｄに貼付する（登録済コード１２および未登録コード１４をどのように貼付するかについては、後述する）。
【００５６】
例えば、図２に示す資産１７ａ，１７ｂ，１７ｄのそれぞれには、棚卸代行業者によって、登録済コードが貼付されている。登録済コード１８ａ，１８ｂ，１８ｄは、資産１７ａ，１７ｂ，１７ｄに貼付された登録済コードを拡大したものである。また、資産１７ｃには、棚卸代行業者によって、未登録コードが貼付されている。未登録コード１８ｃは、資産１７ｃに貼付された未登録コードを拡大したものである。
【００５７】
棚卸代行業者は、クライアントの資産１７ａ〜１７ｄに登録済コード１８ａ，１８ｂ，１８ｄおよび未登録コード１８ｃを貼付すると、タブレット端末１ｅを用いて、棚卸を行う。
【００５８】
例えば、棚卸代行業者は、クライアントの資産１７ａ〜１７ｄに対し、タブレット端末１ｅの備えるカメラを向ける。タブレット端末１ｅは、カメラに映り込んだ、資産１７ａ〜１７ｄに貼付された登録済コード１８ａ，１８ｂ，１８ｃのカラーコードと、未登録コード１８ｃのカラーコードとを検出して、棚卸を行う。
【００５９】
ここで、カラーコードは、上記したように、接写しなくても複数同時に認識されることができる。従って、棚卸代行業者は、タブレット端末１ｅを持って、タブレット端末１ｅのカメラを様々な方向に向けていくことにより、容易に資産１７ａ〜１７ｄの棚卸を行うことができる。
【００６０】
タブレット端末１ｅは、資産１７ａ〜１７ｄの棚卸結果をディスプレイに表示する。例えば、図２に示す資産１９ａ〜１９ｄは、タブレット端末１ｅのカメラで撮影されている資産１７ａ〜１７ｄを示しており、タブレット端末１ｅは、検出した登録済コード１８ａ，１８ｂ，１８ｃのカラーコードと、未登録コード１８ｃのカラーコードとの近傍に、例えば、「ＯＫ」、「ＮＧ」、「未完了」などの棚卸結果を表示する。
【００６１】
図２の例に示す「ＯＫ」は、カメラで撮影されている資産１７ａ，１７ｂが正規の資産であることを示す。「ＮＧ」は、カメラで撮影されている資産１７ｄが正規の資産でないことを示す。「未完了」は、資産１７ｃに貼付されている未登録コード１８ｃの小さい方のカラーコードの上に（未登録コード１４のカラーコード１４ａの上に）追加登録コード１６が重ねて貼付されていないことを示す。
【００６２】
棚卸代行業者による棚卸作業終了後、クライアントには、棚卸代行業者から台紙１５が郵送される。クライアントは、郵送された台紙１５から追加登録コード１６をはがし、未登録コード１４が貼付された資産のカラーコード１４ａの上に、はがした追加登録コード１６を重ねて貼付する。そして、クライアントは、タブレット端末１ｅを用いて、追加登録コード１６が貼付された未登録コード１４を撮影（棚卸）する。
【００６３】
図３は、図１、図２の資産管理システムの概略動作および利用者の作業の概略を説明する図である。図３には、図１、図２に示した事業所１，２が示してある。
【００６４】
クライアントは、自己が所有している資産の資産情報を棚卸代行業者に通知する（ステップＳ１）。資産は、例えば、クライアントが所有している機器であり、資産情報は、例えば、クライアントが所有している機器の機器情報である。機器情報は、例えば、機器の型番、製造番号、シリアル番号などである。以下では、クライアントは、自己が所有している機器の機器情報を棚卸代行業者に通知するものとする。
【００６５】
次に、棚卸代行業者は、クライアントから機器情報を受信すると、情報処理装置１ａに機器情報を登録する（ステップＳ２）。
【００６６】
次に、棚卸代行業者は、端末装置１ｂを用いて、情報処理装置１ａに対し、登録済コード１２と、未登録コード１４とを生成するよう指示する（ステップＳ３）。
【００６７】
なお、登録済コード１２は、情報処理装置１ａに機器情報が登録された機器に貼付される。未登録コード１４は、情報処理装置１ａに機器情報が登録されていない機器に貼付される。情報処理装置１ａに登録されていない機器は、ステップＳ１において、クライアントから機器情報が通知されなかった機器である。
【００６８】
次に、情報処理装置１ａは、生成した登録済コード１２を有する台紙１１を、印刷装置１ｃでプリントアウトする（ステップＳ４）。また、情報処理装置１ａは、生成した未登録コード１４を有する台紙１３を、印刷装置１ｃでプリントアウトする（ステップＳ４）。
【００６９】
次に、棚卸代行業者は、プリントアウトされた台紙１１，１３と、タブレット端末１ｅとを持って、クライアントの事業所２へ出向く（ステップＳ５）。
【００７０】
次に、棚卸代行業者は、台紙１１に印刷されている登録済コード１２を、情報処理装置１ａに機器情報が登録されている機器に貼付する。また、棚卸代行業者は、台紙１３に印刷されている未登録コード１４を、情報処理装置１ａに機器情報が登録されていない機器に貼付する（ステップＳ６）。
【００７１】
ここで、情報処理装置１ａに機器情報が登録されていない機器として考えられるのは、例えば、ステップＳ１でのクライアントからの通知漏れがある。または、クライアントが把握していなかった機器が、棚卸代行業者によって、棚卸作業中に発見された場合などがある。
【００７２】
なお、後述するが、棚卸代行業者は、クライアントのどの機器が情報処理装置１ａに登録され、どの機器が情報処理装置１ａに登録されていないか、知ることができるようになっている。また、棚卸代行業者は、情報処理装置１ａに登録されているクライアントのどの機器に、どの登録済コード１２を貼付すればよいか、知ることができるようになっている。
【００７３】
次に、棚卸代行業者は、タブレット端末１ｅを用いて、機器の棚卸および正式登録を行う（ステップＳ７）。例えば、棚卸代行業者は、クライアントの事業所２内の機器に対し、タブレット端末１ｅの備えるカメラを向けていく。カメラが向けられた機器に登録済コード１２または未登録コード１４が貼付されていれば、タブレット端末１ｅのディスプレイには、例えば、図２のタブレット端末１ｅに示したような棚卸結果が表示される。正式登録については後述する。
【００７４】
次に、棚卸代行業者は、未登録コード１４を貼付した機器の機器情報を、タブレット端末１ｅに入力する（ステップＳ８）。タブレット端末１ｅに入力された機器情報は、情報処理装置１ａに送信される。
【００７５】
なお、点線枠２１は、事業所２において、棚卸代行業者が行う作業および処理を示している。ステップＳ７，Ｓ８の順番は、逆であってもよい。
【００７６】
次に、情報処理装置１ａは、タブレット端末１ｅから受信した機器情報を登録する（ステップＳ９）。このステップＳ９の処理によって、情報処理装置１ａに登録されていないかった機器の機器情報が、情報処理装置１ａに登録されることになる。例えば、ステップＳ１におけるクライアントの通知漏れによる機器の機器情報や、棚卸作業中に発見された機器の機器情報が、情報処理装置１ａに登録されることになる。
【００７７】
次に、情報処理装置１ａは、棚卸代行業者による端末装置１ｂの操作に応じて、追加登録コード１６を生成する（ステップＳ１０）。追加登録コード１６の２次元コード１６ａは、ステップＳ９で登録された機器情報を示している。
【００７８】
次に、情報処理装置１ａは、生成した追加登録コード１６を有する台紙１５を、印刷装置１ｃでプリントアウトする（ステップＳ１１）。
【００７９】
次に、棚卸代行業者は、プリントアウトされた追加登録コード１６をクライアントに郵送する（ステップＳ１２）。
【００８０】
次に、クライアントは、棚卸代行業者から郵送された追加登録コード１６を、未登録コード１４が貼付された機器のカラーコード１４ａの上に重ねて貼付する（ステップＳ１３）。
【００８１】
これにより、ステップＳ２では未登録であったが、ステップＳ９で情報処理装置１ａに登録された機器は、ステップＳ２で登録された機器と同様のコードが貼付された状態となる。すなわち、ステップＳ９で登録された機器は、カラーコードと２次元コードとを有した貼付部材が貼付された状態となる。そして、追加登録コード１６が貼付された機器は、棚卸の対象となる。
【００８２】
なお、後述するが、クライアントは、追加登録コード１６をどの未登録コード１４に貼付すればよいか知ることができるようになっている。
【００８３】
次に、クライアントは、タブレット端末１ｅを用いて、未登録機器であった機器の棚卸および正式登録を行う（ステップＳ１４）。例えば、クライアントは、追加登録コード１６が貼付された未登録コード１４をタブレット端末１ｅで撮影し、棚卸および正式登録を行う。正式登録については後述する。
【００８４】
このような手順により、棚卸代行業者は、資産管理のより効率的な作業実施を行うことができる。例えば、点線枠２１に示すように、棚卸代行業者は、クライアントへ１回出向くだけで済む。
【００８５】
また、登録から漏れていた機器（機器情報が未登録の機器）に対しては、後から追加登録コード１６がクライアントに送付され、未登録の機器に貼付される。これにより、クライアントは、機器が棚卸対象から漏れるのを防止することができる。
【００８６】
また、登録済の機器に貼付される登録済コード１２と、未登録の機器に貼付される未登録コード１４は、２次元コード１２ａの有無の差異がある。従って、棚卸代行業者およびクライアントは、見た目でそれらの違いを区別しやすい。つまり、棚卸代行業者およびクライアントは、棚卸対象の機器が情報処理装置１ａに登録されているか否か、登録済コード１２および未登録コード１４を見ることにより、容易に区別することができる。
【００８７】
なお、上記の資産管理システムの構成は、本実施の形態の特徴を説明するにあたり、主要構成を説明したものであって、上記した構成に限られない。例えば、タブレット端末１ｅは、複数存在していてもよい。
【００８８】
また、上記のステップＳ１２では、追加登録コード１６を郵送するとしたが、例えば、メール等により、電子データでクライアントに送信してもよい。クライアントは、棚卸代行業者から受信した、追加登録コード１６の電子データをプリントアウトすることにより、追加登録コード１６を取得することができる。そして、クライアントは、取得した追加登録コード１６を未登録コード１４のカラーコード１４ａの上に貼付することができる。
【００８９】
また、上記のステップＳ１４では、クライアントは、棚卸代行業者のタブレット端末１ｅを用いて棚卸および正式登録を行うとしたが、自己が所有するタブレット端末を用いて、棚卸および正式登録を行ってもよい。例えば、クライアントが所有するタブレット端末に、タブレット端末１ｅと同様のプログラムをインストールすることにより、棚卸および正式登録を行うことができる。
【００９０】
上記は、資産管理システムの概略を説明したものであって、詳細は以下で明らかにされる。
【００９１】
図４は、情報処理装置の機能ブロックの一例を示した図である。図４に示すように、情報処理装置１ａは、生成部３１と、印刷部３２と、通信部３３と、記憶部３４とを有している。
【００９２】
生成部３１は、台紙１１，１３，１５に印刷されるデータを生成する。例えば、生成部３１は、記憶部３４に格納されている資産リスト（図５参照）を参照し、２次元コード１２ａと、カラーコード１２ｂと、コード１２ｃとを有する登録済コード１２のデータを生成する。また、生成部３１は、記憶部３４に格納されている資産リストを参照し、カラーコード１４ａと、カラーコード１４ｂと、コード１４ｃとを有する未登録コード１４のデータを生成する。また、生成部３１は、記憶部３４に格納されている資産リストを参照し、２次元コード１６ａと、コード１６ｂとを有する追加登録コード１６のデータを生成する。
【００９３】
印刷部３２は、生成部３１が生成した印刷対象のデータを印刷装置１ｃへ出力する。
【００９４】
通信部３３は、ネットワーク１ｄを介して、端末装置１ｂと通信を行う。また、通信部３３は、ネットワーク３を介して、タブレット端末１ｅと通信を行う。
【００９５】
記憶部３４には、資産リストが記憶される。
【００９６】
図５は、記憶部に記憶される資産リストの一例を示した図である。図５に示す資産リスト４１は、例えば、図３に示したステップＳ１において、クライアントから機器情報が通知されたとき、記憶部３４に構築される。また、資産リスト４１は、例えば、図３に示したステップＳ７，Ｓ１４において、資産の棚卸または正式登録が行われると、情報が変更されまたは追加される。また、資産リスト４１は、例えば、図３に示したステップＳ９において、未登録の機器の機器情報が受信されると情報が変更されまたは追加される。資産リスト４１は、例えば、棚卸代行業者またはクライアントにより操作されたタブレット端末１ｅまたは端末装置１ｂによって、情報が変更または追加される。
【００９７】
資産リスト４１は、機器情報のフィールド４１ａと、ユニークコードのフィールド４１ｂと、ステータスのフィールド４１ｃと、付加情報のフィールド４１ｄと、棚卸情報のフィールド４１ｅと、フィールド４１ｆとを有している。
【００９８】
機器情報のフィールド４１ａには、クライアントが有する機器の機器情報が格納される。機器情報は、例えば、機器の型番、製造番号、シリアル番号などの属性情報である。
【００９９】
ユニークコードのフィールド４１ｂには、一意の識別情報が格納される。一意の識別情報は、例えば、連番の数字である。
【０１００】
クライアントから通知された機器情報は、ユニークコードに対応付けられて記憶される。例えば、図３に示したステップＳ１において、クライアントから、型番「ＡＡＡ」、製造番号「Ｈ１２３」、シリアル番号「ＨＩＳＹ０１」の機器情報と、型番「ＢＢＢ」、製造番号「Ｈ４５６」、シリアル番号「ＨＩＳＹ０２」の機器情報と、型番「ＣＣＣ」、製造番号「Ｈ７８９」、シリアル番号「ＨＩＳＹ０４」の機器情報と、が通知されたとする。
【０１０１】
この場合、型番「ＡＡＡ」を有する機器情報は、例えば、ユニークコード「００００１」に対応付けられ、登録される。型番「ＢＢＢ」を有する機器情報は、例えば、ユニークコード「００００２」に対応付けられ、登録される。型番「ＣＣＣ」を有する機器情報は、例えば、ユニークコード「００００３」に対応付けられ、登録される。
【０１０２】
なお、図５に示す型番「ＤＤＤ」を有する機器情報は、最初、未登録であった機器情報（クライアントから通知されなかった機器情報）で、棚卸代行業者によって登録されたものの例を示している。
【０１０３】
例えば、型番「ＤＤＤ」を有する機器の機器情報は、図３のステップＳ２の段階では、資産リスト４１に登録されていない。型番「ＤＤＤ」を有する機器は、図３のステップＳ６において、未登録コード１４が貼付され、ステップＳ８において、棚卸代行業者によって機器情報が入力され、ステップＳ９において、資産リスト４１の機器情報のフィールド４１ａに登録されたものである。
【０１０４】
このように、追加登録される機器情報も、一意のユニークコードに対応付けられ、登録される。
【０１０５】
ステータスのフィールド４１ｃには、資産リスト４１に登録された機器情報およびユニークコードのステータスが格納される。ステータスには、「印刷」と、「正式登録」と、「未正式登録」との３つの状態がある。以下、３つのステータスについて説明する。
【０１０６】
・印刷
ステータス「印刷」は、対応するユニークコードを有する登録済コード１２が印刷されたことを示す。ここで、登録済コード１２の２次元コード１２ａ（図２を参照）は、資産リスト４１に登録された機器情報を示し、カラーコード１２ｂは、機器情報が対応付けられたユニークコードを示す。
【０１０７】
例えば、図３のステップＳ２において、型番「ＡＡＡ」、製造番号「Ｈ１２３」、シリアル番号「ＨＩＳＹ０１」の機器情報と、型番「ＢＢＢ」、製造番号「Ｈ４５６」、シリアル番号「ＨＩＳＹ０２」の機器情報と、型番「ＣＣＣ」、製造番号「Ｈ７８９」、シリアル番号「ＨＩＳＹ０３」の機器情報とが資産リスト４１に登録されたとする。それぞれの機器情報は、ユニークコード「００００１」〜「００００３」に対応付けられて資産リスト４１に登録され、ユニークコード「００００４」〜「００００６」には、機器情報は対応付けられなかったとする。
【０１０８】
この場合、ステップＳ３では、型番「ＡＡＡ」、製造番号「Ｈ１２３」、シリアル番号「ＨＩＳＹ０１」の機器情報を示す２次元コード１２ａと、ユニークコード「００００１」を示すカラーコード１２ｂと、「００００１」を文字化したコード１２ｃとを有する登録済コード１２が生成される。また、ステップＳ３では、型番「ＢＢＢ」、製造番号「Ｈ４５６」、シリアル番号「ＨＩＳＹ０２」の機器情報を示す２次元コード１２ａと、ユニークコード「００００２」を示すカラーコード１２ｂと、「００００２」を文字化したコード１２ｃとを有する登録済コード１２が生成される。また、ステップＳ３では、型番「ＣＣＣ」、製造番号「Ｈ７８９」、シリアル番号「ＨＩＳＹ０３」の機器情報を示す２次元コード１２ａと、ユニークコード「００００３」を示すカラーコード１２ｂと、「００００３」を文字化したコード１２ｃとを有する登録済コード１２が生成される。
【０１０９】
そして、ステップＳ３で生成された３つの登録済コード１２が、ステップＳ４においてプリントアウトされると、ユニークコード「００００１」〜「００００３」に対応するステータスのフィールド４１ｃには、「印刷」が格納される。
【０１１０】
また、ステータス「印刷」は、対応するユニークコードを有する未登録コード１４が印刷されたことを示す。ここで、未登録コード１４のカラーコード１４ａ（図２を参照）は、未登録コード１４に２次元コードが貼付されていないことを示し、カラーコード１４ｂは、機器情報が対応付けられてないユニークコードを示す。
【０１１１】
例えば、上記例に従えば、ユニークコード「００００４」〜「００００６」には、機器情報が対応付けられていない。この場合、ステップＳ３では、２次元コードが貼付されていないことを示すカラーコード１４ａと、ユニークコード「００００４」を示すカラーコード１４ｂと、「００００４」を文字化したコード１４ｃとを有する未登録コード１４が生成される（なお、図５の型番「ＤＤＤ」の機器情報は、ステップＳ９で登録されたものを示し、ステップＳ３の段階では登録されていない）。また、ステップＳ３では、２次元コードが貼付されていないことを示すカラーコード１４ａと、ユニークコード「００００５」を示すカラーコード１４ｂと、「００００５」を文字化したコード１４ｃとを有する未登録コード１４が生成される。また、ステップＳ３では、２次元コードが貼付されていないことを示すカラーコード１４ａと、ユニークコード「００００６」を示すカラーコード１４ｂと、「００００６」を文字化したコード１４ｃとを有する未登録コード１４が生成される。
【０１１２】
そして、ステップＳ３で生成された３つの未登録コード１４が、ステップＳ４においてプリントアウトされると、ユニークコード「００００４」〜「００００６」に対応するステータスのフィールド４１ｃには、「印刷」が格納される。
【０１１３】
なお、上記では、ユニークコード「００００４」〜「００００６」の３つの未登録コード１４を生成および印刷するとしたが、この数に限られない。例えば、未登録コード１４を生成する数は、クライアント先での棚卸作業の際、新たに発見される未登録機器の数（クライアントが棚卸代行業者に通知していない機器情報の数）を予想して決める。未登録コード１４は、余裕をもって生成および印刷しておくのが望ましい。
【０１１４】
また、２次元コードが貼付されていないことを示すカラーコード１４ａは、例えば、ユニークコードを示すカラーコード１２ｂおよびカラーコード１４ｂと異なる体系の情報を有する。例えば、カラーコード１４ａは、カラーコード１２ｂおよびカラーコード１４ｂが示すユニークコードと異なる桁数を有し、特定の数字を有する。例えば、カラーコード１４ａは、８桁の数字である「９９９９９９９９」という情報を有する。なお、図５の例の場合、ユニークコードの桁数は「５」である。このようにすることで、タブレット端末１ｅは、２次元コードが貼付されていないことをより速く認識できる。
【０１１５】
・正式登録
ステータス「正式登録」は、資産リスト４１に登録された機器情報が正式登録されたことを示す。
【０１１６】
例えば、図３のステップＳ６において、棚卸代行業者により、クライアントの機器に登録済コード１２が貼付され、ステップＳ７において、タブレット端末１ｅで撮影されると（棚卸されると）、撮影された機器の機器情報に対応するステータスは、「正式登録」となる。
【０１１７】
より具体的には、ユニークコード「００００１」を有する登録済コード１２が、型番「ＡＡＡ」の機器に貼付され、タブレット端末１ｅで撮影されたとする。また、ユニークコード「００００２」を有する登録済コード１２が、型番「ＢＢＢ」の機器に貼付され、タブレット端末１ｅで撮影されたとする。ユニークコード「００００３」を有する登録済コード１２が、型番「ＣＣＣ」の機器に貼付され、タブレット端末１ｅで撮影されたとする。この場合、ユニークコード「００００１」，「００００２」，「００００３」に対応するステータスは、「印刷」から「正式登録」に変更される。
【０１１８】
・未正式登録
ステータス「未正式登録」は、資産リスト４１に登録された機器情報が正式登録されていないことを示す。
【０１１９】
例えば、図３のステップＳ６において、未登録の機器が棚卸代行業者により発見され、ユニークコード「００００４」を示すカラーコード１４ｂを有した未登録コード１４が、その機器に貼付されたとする。未登録コード１４が貼付されたその機器の機器情報は、型番「ＤＤＤ」、製造番号「ＨＡＢＣ」、シリアル番号「ＨＩＳＹ０４」であったとする。
【０１２０】
この場合、図３のステップＳ９では、型番「ＤＤＤ」、製造番号「ＨＡＢＣ」、シリアル番号「ＨＩＳＹ０４」の機器情報が、ユニークコード「００００４」に対応付けられて資産リスト４１に登録される。そして、タブレット端末１ｅは、棚卸代行業者の操作に応じて、資産リスト４１のユニークコード「００００４」に対応するステータスを、「印刷」から「未正式登録」に変更する。
【０１２１】
なお、型番「ＤＤＤ」を有する機器は、この段階では、機器情報が単に資産リスト４１に登録されただけであって、正式な資産として資産リスト４１に登録されていない状態にある（ステータスが「未正式登録」）。以下、ステータスが「未正式登録」から「正式登録」に変わるまでの例を説明する。
【０１２２】
ステップＳ９で、資産リスト４１に機器情報が登録されると、ステップＳ１０において追加登録コード１６が生成される。ここで、追加登録コード１６の２次元コード１６ａ（図２参照）は、ステップＳ９で登録された機器情報を示し、コード１６ｂは、ステップＳ９で登録された機器情報が対応付けられたユニークコードを示す。
【０１２３】
例えば、上記例では、型番「ＤＤＤ」、製造番号「ＨＡＢＣ」、シリアル番号「ＨＩＳＹ０４」の機器情報が、ユニークコード「００００４」に対応付けられて資産リスト４１に登録されている。従って、ステップＳ１０で生成される追加登録コード１６の２次元コード１６ａは、型番「ＤＤＤ」、製造番号「ＨＡＢＣ」、シリアル番号「ＨＩＳＹ０４」の機器情報を示し、コード１６ｂは、「００００４」を示す。
【０１２４】
ステップＳ１０で生成された追加登録コード１６は、印刷装置１ｃでプリントアウトされてクライアントに送付され、クライアントによって、未登録コード１４のカラーコード１４ａの上に、重なるように貼付される（ステップＳ１１〜Ｓ１３）。クライアントは、追加登録コード１６のコード１６ｂと同じコード１４ｃを有する未登録コード１４に、追加登録コード１６を貼付する。
【０１２５】
例えば、上記例に従えば、型番「ＤＤＤ」、製造番号「ＨＡＢＣ」、シリアル番号「ＨＩＳＹ０４」の機器情報を示す２次元コード１６ａと、「００００４」の文字を示すコード１６ｂとを有する追加登録コード１６は、型番「ＤＤＤ」、製造番号「ＨＡＢＣ」、シリアル番号「ＨＩＳＹ０４」の機器に貼付された未登録コード１４に貼付されることになる。
【０１２６】
そして、追加登録コード１６が貼付された未登録コード１４は、タブレット端末１ｅによって撮影（棚卸）される（図３のステップＳ１４）。すると、「未正式登録」であったステータスは、「正式登録」に変更される。
【０１２７】
例えば、図５のユニークコード「００００４」に対応するステータス「未正式登録」は、「正式登録」に変更される。
【０１２８】
このように、ステータスが「未正式登録」であった機器（未登録コード１４が貼付された機器）は、未登録コード１４のカラーコード１４ａの上に追加登録コード１６が貼付され、棚卸されることにより、ステータスが「正式登録」に変更される。
【０１２９】
付加情報のフィールド４１ｄには、機器情報の付加情報が格納される。付加情報には、機器の設置場所、機器を使用する「部署」、機器を利用する「利用者」、機器の「リース期限」の情報が含まれる。付加情報は、機器情報とともにクライアントまたは棚卸代行業者から通知される。
【０１３０】
棚卸情報のフィールド４１ｅ、フィールド４１ｆには、棚卸結果が格納される。棚卸情報のフィールド４１ｅ、フィールド４１ｆは、例えば、半年に１回など、棚卸作業が実施されるたびに追加されていく。フィールド４１ｅ、フィールド４１ｆは、例えば、棚卸代行業者やクライアントの操作により、または、棚卸作業が実施される際に自動的に、追加される。棚卸情報には、棚卸を実施した「実施日」、棚卸の「実施結果」、棚卸内容を修正した場合の内容を示す「修正内容」、棚卸を実施した「実施者」の情報が含まれる。フィールド４１ｅ、フィールド４１ｆの「実施結果」には、例えば、図２のタブレット端末１ｅのディスプレイに表示される「ＯＫ」または「ＮＧ」の棚卸結果の情報が格納される。
【０１３１】
未登録コード１４が貼付された機器（例えば、図２のタブレット端末１ｅにおいて、棚卸結果が「未完了」と表示された機器）の棚卸結果は、棚卸情報のフィールド４１ｅ、フィールド４１ｆの「実施結果」に反映されない。この場合、フィールド４１ｅの「実施結果」の欄には、初期値の情報（例えば、図５では「−」）が格納されたままとなる。初期値は、「印刷」、「正式登録」、および「未正式登録」のいずれの状態でもないことを示し、例えば、フィールド４１ｅが生成されるときに格納され、またフィールド４１ｆが生成されるときに格納される。
【０１３２】
棚卸情報のフィールド４１ｅの「修正内容」の欄には、棚卸の修正内容が格納される。例えば、「設置場所」が「新宿」である機器が、「本社」で棚卸されたとする。この場合、フィールド４１ｅの「修正内容」の欄には、例えば、図５に示すように、修正内容として「設置場所本社」が格納される。
【０１３３】
図６は、タブレット端末の機能ブロックの一例を示した図である。図６に示すように、タブレット端末１ｅは、撮影部５１と、入力部５２と、検出部５３と、更新部５４と、表示部５５と、通信部５６と、記憶部５７とを有している。
【０１３４】
撮影部５１は、タブレット端末１ｅが備えるデジタルカメラを介して、クライアントの機器や機器に貼付された登録済コード１２または未登録コード１４を撮影する。
【０１３５】
入力部５２は、例えば、タブレット端末１ｅが備えるタッチパネルで入力される情報を受付ける。
【０１３６】
検出部５３は、撮影部５１で撮影された画像から、カラーコード（登録済コード１２のカラーコード１２ｂ、未登録コード１４のカラーコード１４ａ、または未登録コード１４のカラーコード１４ｂ）を検出し、それらが示す情報を認識する。例えば、検出部５３は、撮影部５１で撮影されるカラーコードの最左列にあるセルによって、画像内のカラーコードの位置を特定する。そして、検出部５３は、例えば、カラーコードの最上列にあるリファレンス領域のセル群に含まれる各セルの色に基づいて、他のセル群に含まれる各セルの色を検出し、検出したセル群に含まれる各セルの色の数またはその組み合わせによって、カラーコードが示す情報を認識する。以下で用いる検出部５３の「検出」には、カラーコードの検出とカラーコードが示す情報の認識とが含まれる場合がある。
【０１３７】
また、検出部５３は、撮影部５１で撮影される２次元コード（登録済コード１２の２次元コード１２ａまたは追加登録コード１６の２次元コード１６ａ）を検出し、それらが示す情報を認識する。例えば、検出部５３は、撮影部５１で撮影される２次元コードのマーカーによってその位置を検出する。そして、検出部５３は、２次元コードが示す情報を認識する。以下で用いる「検出」には、２次元コードの検出と２次元コードが示す情報の認識とが含まれる場合がある。
【０１３８】
更新部５４は、記憶部５７に記憶された資産リスト４１を更新する。
【０１３９】
表示部５５は、タブレット端末１ｅが有するディスプレイに、撮影部５１が撮影した機器等や所定の情報を表示する。
【０１４０】
通信部５６は、ネットワーク３を介して、情報処理装置１ａと通信を行う。
【０１４１】
記憶部５７には、資産リスト４１が記憶される。例えば、棚卸代行業者は、クライアント先で棚卸を行う場合、情報処理装置１ａの記憶部３４に記憶されている資産リスト４１を、タブレット端末１ｅの記憶部５７にダウンロードする。
【０１４２】
図７は、情報処理装置のハードウェア構成例を示した図である。図４に示した情報処理装置１ａは、例えば、図７に示すようなＣＰＵ（Central Processing Unit）６１と、メモリ６２と、ＨＤＤ（Hard Disk Drive）等の補助記憶装置６３と、通信回線などに接続するための通信インタフェース（Ｉ／Ｆ）６４と、ＤＶＤ（Digital Versatile Disk）などの持ち運び可能な記憶媒体に対する情報の読み書きを行うメディアＩ／Ｆ６５と、を備えるコンピュータ６０で実現される。
【０１４３】
図４に示した各部は、例えば、補助記憶装置６３に記憶されているアプリケーションプログラムなどの所定のプログラムをメモリ６２にロードしてＣＰＵ６１で実行することにより実現可能である。また、図４に示した記憶部３４は、例えば、ＣＰＵ６１がメモリ６２または補助記憶装置６３を利用することにより実現可能である。
【０１４４】
上記の所定のプログラムは、通信Ｉ／Ｆ６４を介してネットワークから、補助記憶装置６３にダウンロードされ、それから、メモリ６２上にロードされてＣＰＵ６１により実行されるようにしてもよい。また、通信Ｉ／Ｆ６４を介してネットワークから、メモリ６２上に直接ロードされ、ＣＰＵ６１に実行されるようにしてもよい。また、コンピュータ６０が、メディアＩ／Ｆ６５にセットされた記憶媒体から、上記の所定のプログラムを、補助記憶装置６３あるいはメモリ６２上にロードするようにしてもよい。
【０１４５】
なお、資産リスト４１は、例えば、ネットワーク１ｄに接続されたストレージや他のサーバが有する記憶装置に構築してもよい。
【０１４６】
図８は、タブレット端末のハードウェア構成例を示した図である。図６に示したタブレット端末１ｅは、例えば、図８に示すようなＣＰＵ（Central Processing Unit）７１と、メモリ７２と、ＨＤＤ（Hard Disk Drive）等の補助記憶装置７３と、通信回線などに接続するための通信インタフェース（Ｉ／Ｆ）７４と、マウス、キーボード、タッチセンサやタッチパネルなどの入力装置７５と、液晶ディスプレイなどの表示装置７６と、デジタルカメラなどの撮影装置７７とを備えるコンピュータ７０で実現される。
【０１４７】
図６に示した各部は、例えば、補助記憶装置７３に記憶されているアプリケーションプログラムなどの所定のプログラムをメモリ７２にロードしてＣＰＵ７１で実行することにより実現可能である。また、図６に示した記憶部５７は、例えば、ＣＰＵ７１がメモリ７２または補助記憶装置７３を利用することにより実現可能である。
【０１４８】
上記の所定のプログラムは、通信Ｉ／Ｆ７４を介してネットワークから、補助記憶装置７３にダウンロードされ、それから、メモリ７２上にロードされてＣＰＵ７１により実行されるようにしてもよい。また、通信Ｉ／Ｆ７４を介してネットワークから、メモリ７２上に直接ロードされ、ＣＰＵ７１に実行されるようにしてもよい。また、コンピュータ７０は、通信Ｉ／Ｆ７４に接続されたメディアＩ／Ｆにセットされた記憶媒体から、上記の所定のプログラムを、補助記憶装置７３あるいはメモリ７２上にロードするようにしてもよい。
【０１４９】
上記の図４および図６〜図８に示した情報処理装置１ａおよびタブレット端末１ｅの構成は、理解を容易にするために、主な処理内容に応じて分類したものである。構成要素の分類の仕方や名称によって、本願発明が制限されることはない。例えば、情報処理装置１ａおよびタブレット端末１ｅの構成は、処理内容に応じて、さらに多くの構成要素に分類することもできる。また、１つの構成要素がさらに多くの処理を実行するように分類することもできる。各構成要素の処理は、１つのハードウェアで実行されてもよいし、複数のハードウェアで実行されてもよい。また、各構成要素の処理は、１つのプログラムで実現されてもよいし、複数のプログラムで実現されてもよい。なお、端末装置１ｂもパーソナルコンピュータやコンピュータ７０で実現することができる。
【０１５０】
図９は、情報処理装置による、コードの生成および印刷の動作例を示したフローチャートでる。図９に示すフローチャートは、例えば、端末装置１ｂを介した、棚卸代行業者の指示に応じて実行される。
【０１５１】
なお、図９のフローチャートの処理は、図３に示したステップＳ３，Ｓ４の処理に対応する。また、クライアントからは、機器情報が通知され、記憶部３４には、資産リスト４１が記憶されているとする。
【０１５２】
生成部３１は、登録済コード１２および未登録コード１４を生成する（ステップＳ２１）。例えば、生成部３１は、記憶部３４に記憶されている資産リスト４１の機器情報およびユニークコードに基づいて、図２に示した２次元コード１２ａと、カラーコード１２ｂと、コード１２ｃとを有する登録済コード１２を生成する。また、生成部３１は、記憶部３４に記憶されている資産リスト４１の機器情報が対応付けられていないユニークコードに基づいて、図２に示したカラーコード１４ａと、カラーコード１４ｂと、コード１４ｃとを有する未登録コード１４を生成する。
【０１５３】
なお、登録済コード１２の２次元コード１２ａは、資産リスト４１に登録された機器情報を示す。カラーコード１２ｂは、資産リスト４１に登録された機器情報に対応付けられたユニーク―コードを示す。コード１２ｃは、カラーコード１２ｂが示す情報（ユニークコード）を文字化したものである。
【０１５４】
また、未登録コード１４のカラーコード１４ａは、未登録コード１４に追加登録コード１６が貼付されていないことを示す。カラーコード１４ｂは、機器情報が対応付けられていないユニークコードを示す。
【０１５５】
次に、印刷部３２は、ステップＳ２１で生成部３１によって生成された登録済コード１２および未登録コード１４を印刷装置１ｃでプリントアウトする（ステップＳ２２）。登録済コード１２は、例えば、図２に示した台紙１１に印刷されてプリントアウトされる。未登録コード１４は、例えば、図２に示した台紙１３に印刷されてプリントアウトされる。
【０１５６】
ここで、棚卸代行業者による、登録済コード１２および未登録コード１４の貼付例について説明する。
【０１５７】
プリントアウトされた登録済コード１２と未登録コード１４（台紙１１，１３）は、棚卸代行業者によってクライアントの事業所２に持ち込まれる（例えば、図３のステップＳ５）。そして、登録済コード１２は、棚卸代行業者によって、資産リスト４１に登録された機器に貼付され、未登録コード１４は、資産リスト４１に登録されていない機器に貼付される（例えば、図３のステップＳ６）。
【０１５８】
棚卸代行業者は、登録済コード１２をクライアントの機器に貼付する際、資産リスト４１を情報処理装置１ａからタブレット端末１ｅにダウンロードする。すなわち、タブレット端末１ｅは、棚卸代行業者の操作に応じて、情報処理装置１ａから資産リスト４１をダウンロードする。
【０１５９】
棚卸代行業者は、登録済コード１２を貼付しようとする機器の機器情報をタブレット端末１ｅに入力する。タブレット端末１ｅは、入力された機器情報に対応するユニークコードを、資産リスト４１を参照して取得し、ディスプレイに表示する。
【０１６０】
例えば、棚卸代行業者は、型番「ＡＡＡ」、製造番号「Ｈ１２３」、シリアル番号「ＨＩＳＹ０１」の機器情報を有する機器に、登録済コード１２を貼付したいとする。この場合、棚卸代行業者は、タブレット端末１ｅに、型番「ＡＡＡ」、製造番号「Ｈ１２３」、シリアル番号「ＨＩＳＹ０１」の機器情報を入力する。タブレット端末１ｅは、入力された機器情報に基づいて、資産リスト４１を参照し、ユニークコードを取得する。図５の資産リスト４１の例の場合、タブレット端末１ｅは、ユニークコード「００００１」を取得することになる。
【０１６１】
タブレット端末１ｅは、取得したユニークコード「００００１」をディスプレイに表示する。棚卸代行業者は、ディスプレイに表示されたユニークコード「００００１」を見て、「００００１」のコード１２ｃを有する登録済コード１２を、機器に貼付する。
【０１６２】
一方、タブレット端末１ｅは、棚卸代行業者から受付けた機器情報が資産リスト４１に登録されていなかった場合、入力された機器情報は、資産リスト４１に登録されていない旨を表示する。
【０１６３】
例えば、図５に示した資産リスト４１において、ユニークコード「００００４」〜「００００６」には、機器情報が対応付けられていなかったとする（図５の型番「ＤＤＤ」、製造番号「ＨＡＢＣ」、シリアル番号「ＨＩＳＹ０４」の機器情報は、フィールド４１ａに登録されていなかったとする）。そして、棚卸代行業者は、型番「ＤＤＤ」、製造番号「ＨＡＢＣ」、シリアル番号「ＨＩＳＹ０４」の機器情報を有する機器に、登録済コード１２を貼付したいとする。
【０１６４】
棚卸代行業者は、タブレット端末１ｅに、型番「ＤＤＤ」、製造番号「ＨＡＢＣ」、シリアル番号「ＨＩＳＹ０４」の機器情報を入力する。タブレット端末１ｅは、入力された機器情報に基づいて、資産リスト４１を参照するが、上記した資産リスト４１の例の場合、これらの機器情報は、登録されていない。この場合、タブレット端末１ｅは、入力された機器情報は、資産リスト４１に登録されていない旨を表示する。そして、棚卸代行業者は、台紙１３にある適当な未登録コード１４を（例えば、「００００４」のコード１４ｃを有する未登録コード１４を）、型番「ＤＤＤ」の機器に貼付する。
【０１６５】
なお、上記では、棚卸代行業者は、登録済コード１２を貼付しようとする機器の機器情報をタブレット端末１ｅに入力するとしたが、登録済コード１２のカラーコード１２ｂをカメラで撮影してもよい。
【０１６６】
例えば、タブレット端末１ｅは、カメラで撮影されたカラーコード１２ｂの示すユニークコードに基づいて、資産リスト４１を参照し、登録済コード１２を貼付する機器情報を取得する。そして、タブレット端末１ｅは、取得した機器情報をディスプレイに表示する。これにより、棚卸代行業者は、どの機器に登録済コード１２を貼付すればよいか知ることができる。
【０１６７】
図１０は、タブレット端末による、未登録コードが貼付された機器情報の受付け動作例を示したフローチャートである。図１０のフローチャートは、例えば、棚卸代行業者によって、未登録コード１４がクライアントの機器に貼付されたときに実行される。図１０のフローチャートの処理は、図３に示したステップＳ８の処理に対応する。
【０１６８】
入力部５２は、棚卸代行業者から、未登録コード１４が貼付された機器の機器情報と、機器に貼付された未登録コード１４が有するコード１４ｃとを受付ける（ステップＳ３１）。
【０１６９】
例えば、棚卸代行業者は、型番「ＤＤＤ」、製造番号「ＨＡＢＣ」、シリアル番号「ＨＩＳＹ０４」の機器情報を有する機器に、未登録コード１４を貼付したとする。機器に貼付した未登録コード１４は、ユニークコード「００００４」を示すカラーコード１４ｂと、「００００４」を示すコード１４ｃとを有していたとする。この場合、入力部５２は、型番「ＤＤＤ」、製造番号「ＨＡＢＣ」、シリアル番号「ＨＩＳＹ０４」の機器情報と、ユニークコード「００００４」とを受付けることになる。
【０１７０】
次に、通信部５６は、ステップＳ３２で入力部５２が受付けた機器情報と、ユニークコードとを、情報処理装置１ａに送信する（ステップＳ３２）。
【０１７１】
図１１は、情報処理装置による、未登録コードが貼付された機器情報の登録動作例を示したフローチャートである。図１１のフローチャートは、図１０のフローチャートにより、機器情報とユニークコードとが送信されたときに実行される。図１０のフローチャートの処理は、図３に示したステップＳ９の処理に対応する。
【０１７２】
通信部３３は、タブレット端末１ｅから送信される機器情報とユニークコードとを受信する（ステップＳ４１）。
【０１７３】
次に、通信部３３は、ステップＳ４１で受信した機器情報とユニークコードとを記憶部３４の資産リスト４１に登録する（ステップＳ４２）。
【０１７４】
例えば、図１０の例に従い、通信部３３は、型番「ＤＤＤ」、製造番号「ＨＡＢＣ」、シリアル番号「ＨＩＳＹ０４」の機器情報と、ユニークコード「００００４」とをタブレット端末１ｅから受信したとする。この場合、通信部３３は、資産リスト４１のユニークコード「００００４」に対応付けて、型番「ＤＤＤ」、製造番号「ＨＡＢＣ」、シリアル番号「ＨＩＳＹ０４」の機器情報を登録する。そして、通信部３３は、ユニークコード「００００４」のステータスを「印刷」から「未正式登録」に変更する。これにより、資産リスト４１は、例えば、図５に示した資産リスト４１のようになる。
【０１７５】
図１２は、情報処理装置による、追加登録コードの生成の動作例を示したフローチャートである。図１２のフローチャートは、例えば、端末装置１ｂを介した、棚卸代行業者の指示に応じて実行される。図１２のフローチャートの処理は、図３に示したステップＳ１０，Ｓ１１の処理に対応する。
【０１７６】
生成部３１は、記憶部３４に記憶されている資産リスト４１を参照して、追加登録コード１６を生成する（ステップＳ５１）。生成部３１が生成する追加登録コード１６には、未登録コード１４が貼付された機器の機器情報を示す２次元コード１６ａが含まれている。また、生成部３１が生成する追加登録コード１６には、未登録コード１４が有するユニークコード（資産リスト４１において、機器情報が対応付けられたユニークコード）を文字化したコード１６ｂが含まれている。
【０１７７】
例えば、上記例に従えば、型番「ＤＤＤ」の機器には、ユニークコード「００００４」を有する未登録コード１４が貼付されている。そして、型番「ＤＤＤ」の機器の機器情報は、ユニークコード「００００４」に対応付けられて、資産リスト４１に記憶されている。この場合、生成部３１は、型番「ＤＤＤ」、製造番号「ＨＡＢＣ」、シリアル番号「ＨＩＳＹ０４」の機器情報を示す２次元コード１６ａと、ユニークコード「００００４」を文字化したコード１６ｂとを有する追加登録コード１６を生成する。
【０１７８】
次に、印刷部３２は、ステップＳ５１で生成部３１によって生成された追加登録コード１６を印刷装置１ｃでプリントアウトする（ステップＳ５２）。追加登録コード１６は、例えば、図２に示した台紙１５に印刷されてプリントアウトされる。
【０１７９】
ここで、クライアントによる、追加登録コード１６の貼付例について説明する。
プリントアウトされた追加登録コード１６（台紙１５）は、棚卸代行業者によって、クライアントに郵送される（例えば、図３のステップＳ１２）。追加登録コード１６は、クライアントによって、未登録コード１４のカラーコード１４ａの上に、重なるように貼付される（例えば、図３のステップＳ１３）。
【０１８０】
棚卸代行業者から郵送された追加登録コード１６は、コード１６ｂを有している。クライアントは、コード１６ｂと同じコード１４ｃを有している未登録コード１４に、追加登録コード１６を貼付する。
【０１８１】
例えば、上記例に従えば、追加登録コード１６は、型番「ＤＤＤ」、製造番号「ＨＡＢＣ」、シリアル番号「ＨＩＳＹ０４」を示す２次元コード１６ａと、ユニークコード「００００４」を示すコード１６ｂとを有している。従って、クライアントは、ユニークコード「００００４」を示すコード１４ｃを有する未登録コード１４に、追加登録コード１６を貼付することになる。つまり、クライアントは、型番「ＤＤＤ」の機器に貼付された未登録コード１４に、追加登録コード１６を貼付することになる。
【０１８２】
なお、クライアントは、追加登録コード１６が貼付されていないことを示すカラーコード１４ａが隠れるように、追加登録コード１６をカラーコード１４ａの上に貼付する。これにより、タブレット端末１ｅは、未登録コード１４を撮影しても、未登録コード１４として検出しなくなる。すなわち、タブレット端末１ｅは、未登録コード１４を、棚卸の判断対象のコードとして検出することになる。
【０１８３】
図１３は、タブレット端末による、棚卸および正式登録の動作例を示したフローチャートである。図１３のフローチャートは、例えば、タブレット端末１ｅのディスプレイに表示された、資産管理のアイコンがタップされると実行される。図１３のフローチャートの処理は、図３に示したステップＳ７の処理に対応する。
【０１８４】
入力部５２は、棚卸の実施場所および実施者の情報を受付ける（ステップＳ６１）。
【０１８５】
図１４は、タブレット端末の棚卸の実施場所および実施者の情報を受付ける画面例を示した図である。表示部５５は、例えば、ディスプレイに表示された資産管理のアイコンがタップされると、図１４に示す画面を表示する。図１４に示すように、タブレット端末１ｅのディスプレイには、選択領域８１と、氏名入力領域８２と、スタートボタン８３とが表示されている。
【０１８６】
選択領域８１は、例えば、プルダウン方式となっており、複数の棚卸拠点が登録されている。例えば、選択領域８１には、「本社」、「新宿」など、クライアントの事業所の場所が登録されている。タブレット端末１ｅの入力部５２は、選択領域８１で選択された棚卸拠点を、棚卸の実施場所として受付ける。
【０１８７】
氏名入力領域８２には、棚卸を実施する実施者の氏名が入力される。タブレット端末１ｅの入力部５２は、氏名入力領域８２に入力された氏名を、棚卸の実施者として受付ける。
【０１８８】
スタートボタン８３は、メニュー画面へ進むためのボタンである。表示部５５は、スタートボタン８３がタップされると、以下で説明するメニュー画面へ進む。
【０１８９】
図１５は、タブレット端末のメニュー画面例を示した図である。表示部５５は、例えば、図１４に示したスタートボタン８３がタップされると、図１５の画面を表示する。タブレット端末１ｅのディスプレイには、ボタン類９１と、棚卸ボタン９２と、ＱＲ貼付ボタン９３とが表示されている。
【０１９０】
ボタン類９１には、検収ボタン、持出ボタン、返却ボタン、および受入ボタンがある。表示部５５は、いずれかのボタンがタップされると、各機能に対応した画面へ進む。
【０１９１】
棚卸ボタン９２は、棚卸を実施するためのボタンである。タブレット端末１ｅは、棚卸ボタン９２がタップされると、棚卸を行うための画面へ進み、棚卸処理を開始する。
【０１９２】
ＱＲ貼付ボタン９３については、第３の実施の形態で説明する。
【０１９３】
図１３の説明に戻る。次に、入力部５２は、棚卸実施者から棚卸ボタンを受付ける（ステップＳ６２）。例えば、入力部５２は、棚卸実施者のタップ操作により、図１５に示した棚卸ボタン９２の押下を受付ける。
【０１９４】
次に、通信部５６は、ステップＳ６２で入力部５２によって、棚卸ボタン９２の押下が受付けられると、情報処理装置１ａへ資産リスト４１の送信要求を行う（ステップＳ６３）。なお、情報処理装置１ａは、タブレット端末１ｅから、資産リスト４１の送信要求を受信すると、記憶部３４に記憶している資産リスト４１をタブレット端末１ｅへ送信する。
【０１９５】
次に、通信部５６は、情報処理装置１ａから資産リスト４１を受信する（ステップＳ６４）。通信部５６は、受信した資産リスト４１を記憶部５７に格納する。
【０１９６】
なお、入力部５２は、資産リスト４１が記憶部５７に格納されると、ステップＳ６１で受付けた実施者の氏名を、資産リスト４１のフィールド４１ｅの「実施者」に格納する。
【０１９７】
次に、検出部５３は、撮影部５１で撮影される機器に貼付されたカラーコードを検出する（ステップＳ６５）。検出部５３は、撮影部５１で撮影されるカラーコードが、登録済コード１２のカラーコード１２ｂであるか、未登録済コード１４のカラーコード１４ｂであるか、区別して検出する。
【０１９８】
例えば、カラーコード１４ａは、上記したように、カラーコード１２ｂおよびカラーコード１４ｂとは異なる体系の情報を有している。これにより、検出部５３は、カラーコード１２ｂおよびカラーコード１４ｂと、カラーコード１４ａとを区別して検出することができる。
【０１９９】
検出部５３は、カラーコード１２ｂまたはカラーコード１４ｂを検出すると、当該検出したカラーコードの長手方向を検出する。カラーコードは、例えば、上記したように最左列に特定セルを有しており、検出部５３は、特定セルに基づいて、当該検出したカラーコードの長手方向を検出できる。
【０２００】
検出部５３は、当該検出したカラーコードの長手方向を検出すると、長手方向両端の一方の所定範囲内に、カラーコード１４ａが存在するか否か判断する。検出部５３は、当該検出したカラーコードの長手方向両端の一方の所定範囲内にカラーコード１４ａが存在する場合、検出したカラーコードはカラーコード１４ｂであると判断する。一方、検出部５３は、検出したカラーコード１２ｂおよびカラーコード１４ｂの長手方向両端の一方の所定範囲内にカラーコード１４ａが存在しない場合、検出したカラーコードはカラーコード１２ｂであると判断する。
【０２０１】
このようにして、検出部５３は、撮影部５１によって撮影されるカラーコードが、登録済コード１２のカラーコード１２ｂであるか、未登録コード１４のカラーコード１４ａとカラーコード１４ｂであるか、区別して検出することができる。
【０２０２】
または、未登録コード１４の４隅にマーカーを設けるようにしてもよい。検出部５３は、例えば、マーカーを結んで得られる四角形状内に、２つのカラーコードが含まれていれば（すなわち、カラーコード１４ａとカラーコード１４ｂが含まれていれば）、その２つのカラーコードを、未登録コード１４のカラーコード１４ａとカラーコード１４ｂとして検出する。
【０２０３】
これによっても、検出部５３は、検出したカラーコードが、登録済コード１２のカラーコード１２ｂであるか、未登録コード１４のカラーコード１４ａとカラーコード１４ｂであるか、区別して検出することができる。
【０２０４】
図１３の説明に戻る。次に、検出部５３は、ステップＳ６５で検出した登録済コード１２のカラーコード１２ｂと、ステップＳ６４で受信した資産リスト４１とを突き合わせる（ステップＳ６６）。
【０２０５】
例えば、検出部５３は、ステップＳ６５で検出したカラーコード１２ｂに基づいて、資産リスト４１を参照し、フィールド４１ｄの「設置場所」の情報を取得する。検出部５３は、資産リスト４１から取得した「設置場所」と、ステップＳ６１で入力された「棚卸の実施場所」とを比較する。検出部５３は、資産リスト４１から取得した「設置場所」と、ステップＳ６１で入力された「棚卸の実施場所」とが一致すれば、カラーコード１２ｂを有する登録済コード１２が貼付された機器は、「ＯＫ」であると判断する。すなわち、検出部５３は、その機器が、正規の資産であると判断しているともいえる。
【０２０６】
一方、検出部５３は、資産リスト４１から取得した「設置場所」と、ステップＳ６１で入力された「棚卸の実施場所」とが一致しなければ、カラーコード１２ｂを有する登録済コード１２が貼付された機器は、「ＮＧ」であると判断する。すなわち、検出部５３は、その機器が、事業所２に存在すべき機器でない、非正規の資産であると判断しているともいえる。
【０２０７】
より具体的には、図１〜図３で示した事業所２を、クライアントの本社とし、その本社で棚卸が実施されるとする。この場合、ステップＳ６１では、棚卸実施場所として「本社」が入力される。
【０２０８】
次いで、検出部５３は、ユニークコード「００００２」を示すカラーコード１２ｂを検出したとする。この場合、検出部５３は、図５の資産リスト４１の例に従えば、フィールド４１ｄの「設置場所」より、「新宿」を取得する。
【０２０９】
上記例の場合、棚卸実施場所「本社」と、機器の設置場所「新宿」は、一致しない。従って、検出部５３は、ユニークコード「００００２」を示すカラーコード１２ｂが貼付された機器は、本社において正規の資産でないと判断する。
【０２１０】
なお、棚卸実施者は、タブレット端末１ｅを用いて、正規の資産でないと判断された機器の情報を資産リスト４１に加えることができる。例えば、タブレット端末１ｅは、棚卸実施者から、情報の入力を受付けて、フィールド４１ｅの「修正内容」に示すように、機器の情報を加えることができる。
【０２１１】
次に、表示部５５は、ステップＳ６５での検出部５３の検出結果に基づいて、タブレット端末１ｅのディスプレイに、棚卸結果を表示する（ステップＳ６７）。
【０２１２】
例えば、表示部５５は、検出部５３によってカラーコード１２ｂが検出され、正規の資産であると判断された場合、検出部５３によって検出されたカラーコード１２ｂの近傍に「ＯＫ」を表示する。また、表示部５５は、検出部５３によってカラーコード１２ｂが検出され、正規の資産でないと判断された場合、検出部５３によって検出されたカラーコード１２ｂの近傍に「ＮＧ」を表示する。また、表示部５５は、検出部５３によって、未登録コード１４のカラーコード１４ａとカラーコード１４ｂが検出された場合、カラーコード１４ａまたはカラーコード１４ｂの近傍に「未完了」を表示する。
【０２１３】
図１６は、タブレット端末の棚卸画面例を示した図である。図１６に示す棚卸画面は、図１５で示した棚卸ボタン９２がタップされ、クライアントの機器がカメラで撮影されると表示される。
【０２１４】
端末１０１ａ〜１０１ｄは、タブレット端末１ｅのカメラによって撮影されている機器を示している。端末１０１ａ〜１０１ｄの近傍には、棚卸結果「ＯＫ」，「ＮＧ」，「未完了」が表示されている。
【０２１５】
棚卸結果１０２は、資産番号とその棚卸結果とを示している。資産番号は、端末１０１ａ〜１０１ｄに割り当てられたユニークコードを示している。すなわち、資産番号は、端末１０１ａ〜１０１ｄに貼付された、登録済コード１２および未登録コード１４が有するカラーコード１２ｂとカラーコード１４ｂとが示すユニークコードを示している。資産番号の右横には、棚卸結果が表示されている。
【０２１６】
終了ボタン１０３は、棚卸を終了するためのボタンである。タブレット端末１ｅは、終了ボタン１０３がタップされると、棚卸を終了する。
【０２１７】
図１３の説明に戻る。次に、更新部５４は、ステップＳ６４で受信した資産リスト４１を更新する（ステップＳ６８）。例えば、更新部５４は、棚卸結果が「ＯＫ」と判断された機器（ユニークコード）に対応するフィールド４１ｅの「実施結果」を「ＯＫ」に更新する。また、更新部５４は、棚卸結果が「ＮＧ」と判断された機器に対応するフィールド４１ｅの「実施結果」を「ＮＧ」に更新する。
【０２１８】
また、更新部５４は、棚卸結果が「ＯＫ」と判断された機器に対応するフィールド４１ｃのステータスが「印刷」であった場合、「正式登録」に更新する。また、更新部５４は、棚卸結果が「ＮＧ」と判断された機器に対応するフィールド４１ｃのステータスが「印刷」であった場合、「正式登録」に更新する。
【０２１９】
すなわち、資産リスト４１のフィールド４１ｂには、クライアントが有する機器に、登録済コード１２が貼付され、クライアントから通知された機器情報の機器が資産として資産リスト４１に正式登録されたか否かを示す情報が格納される。例えば、図５の型番「ＢＢＢ」の機器のように、本来、新宿にあるべき機器が本社にある場合でも（検出部５３によって「ＮＧ」と判断されても）、型番「ＢＢＢ」の機器は、クライアントの資産である。従って、型番「ＢＢＢ」の機器には、登録済コード１２が貼付され、ステータスのフィールド４１ｃには、「正式登録」が格納されることになる。
【０２２０】
なお、更新部５４は、棚卸結果が「未完了」と判断された機器に対応するフィールド４１ｅの「実施結果」は更新しない。
【０２２１】
また、更新部５４は、ステータスが「未正式登録」であった機器が、検出部５３によって「ＯＫ」または「ＮＧ」と判断された場合（つまり、未登録コード１４に追加登録コード１６が貼付された場合）、そのステータスを「正式登録」に更新する。すなわち、未登録コード１４に追加登録コード１６が貼付され、棚卸判断がされた機器は、クライアントの正式な資産として登録される。
【０２２２】
次に、検出部５３は、入力部５２を介して終了ボタンがタップされたか否か判断する（ステップＳ６９）。例えば、検出部５３は、図１６に示した終了ボタン１０３がタップされたか否か判断する。検出部５３は、終了ボタン１０３がタップされた場合、ステップＳ７０の処理へ移行する。検出部５３は、終了ボタン１０３がタップされなかった場合、ステップＳ６５の処理へ移行する。
【０２２３】
次に、通信部５６は、ステップＳ６８で更新部５４によって更新された資産リスト４１を、情報処理装置１ａへ送信する（ステップＳ７０）。
【０２２４】
なお、クライアントが棚卸を実施する場合も、タブレット端末１ｅは、図１３のフローチャートと同様の処理を行う。例えば、図３に示したステップＳ１４において、クライアントが棚卸を実施する場合も、タブレット端末１ｅは、図１３のフローチャートと同様の処理を行う。ただし、クライアントが棚卸を実施する場合、追加登録コード１６が貼付された未登録コード１４が貼付された機器も棚卸対象となる。
【０２２５】
図１７は、情報処理装置による、資産リスト４１の更新動作例を示したフローチャートである。
【０２２６】
通信部３３は、タブレット端末１ｅから、資産リスト送信要求を受信する（ステップＳ８１）。タブレット端末１ｅからの資産リスト送信要求は、図１３のステップＳ６３の処理によって送信される。
【０２２７】
次に、通信部３３は、記憶部３４に記憶されている資産リスト４１をタブレット端末１ｅに送信する（ステップＳ８２）。
【０２２８】
次に、通信部３３は、タブレット端末１ｅから、更新された資産リスト４１を受信する（ステップＳ８３）。タブレット端末１ｅからの資産リスト４１は、図１３のステップＳ７０の処理によって送信される。
【０２２９】
次に、通信部３３は、ステップＳ８３で受信した資産リスト４１を記憶部３４に記憶する（ステップＳ８４）。これにより、記憶部３４には、タブレット端末１ｅによって更新された資産リスト４１が格納される。
【０２３０】
以上説明した資産管理システムにより、棚卸代行業者は、資産管理のより効率的な作業実施を行うことができる。例えば、棚卸代行業者は、クライアントへ１回出向くだけで済む。
【０２３１】
また、登録から漏れていた機器（機器情報が未登録の機器）に対しては、棚卸代行業者が未登録コード１４を機器に貼付し、後から追加登録コード１６をクライアントに送付する。そして、クライアントによって追加登録コード１６が、未登録機器の未登録コード１４に貼付される。これにより、クライアントは、機器が棚卸対象から漏れるのを防止することができる。
【０２３２】
また、クライアントは、追加登録コード１６が貼付されていない未登録コード１４を見て、または、タブレット端末１ｅに表示される「未完了」の表示を見て、追加登録コード１６の貼付漏れを防止することができる。
【０２３３】
また、資産リスト４１のフィールド４１ｃには、資産のステータスが格納される。これにより、例えば、棚卸代行業者は、ステータスが「未正式登録」の機器に対し、追加登録コード１６を貼付して棚卸するよう、クライアントに指示することができる。または、情報処理装置１ａは、例えば、定期的にフィールド４１ｃをモニタし、「未正式登録」のステータスがあれば、対応する機器情報とともに、追加登録コード１６を貼付するよう指示する旨の情報を、クライアントが有する端末装置に対し、自動送信するようにしてもよい。
【０２３４】
なお、上記は、本発明の要旨と範囲を例示することを意図し、上記範囲において限定されるものではない。多くの代替物、修正、変形例は、当業者にとって明らかである。
【０２３５】
例えば、上記では、登録済コード１２の機器への貼付の際、タブレット端末１ｅを用いるとしたが、これに限られない。例えば、登録済コード１２は、ユニークコードを文字化したコード１２ｃの代わりに、または加えて、文字化された機器情報を有していてもよい。棚卸代行業者は、文字化された機器情報を見て、どの機器に登録済コード１２を貼付すればよいか分かる。
【０２３６】
また、上記では、図１０、図１１で説明したように、未登録コード１４が貼付される機器情報は、タブレット端末１ｅに入力され、資産リスト４１に登録されるとしたが、これに限られない。例えば、棚卸代行業者は、未登録コード１４を貼付した機器情報と、未登録コード１４のユニークコードとをメモ等に控え、事業所１の端末装置１ｂを用いて、機器情報をユニークコードに対応付けて資産リスト４１に登録してもよい。
【０２３７】
また、上記では、タブレット端末１ｅが、情報処理装置１ａから資産リスト４１を受信して更新し、更新した資産リスト４１を情報処理装置１ａに送信するとしたが、これに限られない。例えば、タブレット端末１ｅは、情報処理装置１ａから、資産リスト４１の必要な情報のみを逐次受信して更新し、更新した情報を情報処理装置１ａに逐次送信してもよい。
【０２３８】
また、タブレット端末１ｅは、いつでも情報処理装置１ａから資産リスト４１を受信できるようにしてもよい。これにより、棚卸代行業者またはクライアントは、タブレット端末１ｅを用いて、いつでも資産リスト４１を参照することができる。
【０２３９】
また、上記では、コード１２ｃと、コード１４ｃと、コード１６ｂは、ユニークコードが示す情報を文字化したものであるとしたが、資産に割り当てられる資産番号を文字化したものであってもよい。例えば、ユニークコードには、資産管理のために別途定めた体系である資産番号が対応付けられている。具体的には、資産番号は、図５のフィールド４１ｂに示すユニークコードに対応付けられ、資産リスト４１に格納される。そして、コード１２ｃと、コード１４ｃと、コード１６ｂは、ユニークコードに割り当てられた資産番号を文字化したものであってもよい。
【０２４０】
また、上記では、棚卸代行業者が登録済コード１２を機器に貼付する際、例えば、タブレット端末１ｅは、機器の「機器情報」を棚卸代行業者から受付け、登録済コード１２を貼付すべき機器の「ユニークコード」をディスプレイに表示するとしたが、上記の「資産番号」をディスプレイに表示するようにしてもよい。これにより、棚卸代行業者は、ディスプレイに表示された「資産番号」を示すコード１２ｃを有する登録済コード１２を、機器に貼付することができる。
【０２４１】
また、例えば、図１６と図２０とに示した「資産番号」は、ユニークコードに割り当てられた資産番号を示していてもよい。
【０２４２】
また、上記では、更新部５４は、棚卸結果が「未完了」と判断された機器に対応するフィールド４１ｅの「実施結果」を更新しないとしたが、例えば、「機器情報」が未正式登録された（例えば、図２のステップＳ９で機器情報が登録された）「機器」に対しては、「ＯＫ」または「ＮＧ」の棚卸結果（例えば、図２のステップＳ１４で行われる棚卸の棚卸結果）をフィールド４１ｅの「実施結果」の欄に格納してもよい。そして、更新部５４は、例えば、入力部５２が受付けたクライアントによる操作に応じて、または、自動的に、フィールド４１ｅの「修正内容」の欄に、例えば、「要正式登録」など、対応する機器情報の機器に対し、正式登録が必要であることを示す情報を格納してもよい。これにより、例えば、棚卸代行業者は、追加登録コード１６を再度印刷するなどしてクライアントに郵送し、クライアントに対し棚卸作業を実施するよう、指示等することができる。なお、検出部５３は、図１３のステップＳ６６において、カラーコード１２ｂと同様にしてカラーコード１４ｂを検出し、突き合わせ処理を行うことになる。
【０２４３】
［第２の実施の形態］
次に、本発明の第２の実施の形態について、図面を参照して説明する。第１の実施の形態で説明したように、追加登録コード１６は、未登録コード１４のカラーコード１４ａの上に貼付される。このとき、追加登録コード１６は、別の未登録コード１４のカラーコード１４ａの上に貼付される場合もある。例えば、追加登録コード１６は、コード１６ｂと異なるコード１４ｃを有する未登録コード１４に、誤って貼付される場合がある。第２の実施の形態では、タブレット端末１ｅは、棚卸を実施するとともに、追加登録コード１６の貼り間違えもチェックする。
【０２４４】
図１８は、第２の実施の形態に係るタブレット端末の機能ブロックの一例を示した図である。図１８において、図６と同じものには同じ符号が付してある。以下では、図６と異なる部分について説明する。
【０２４５】
検出部１１１は、追加登録コード１６が貼付された未登録コード１４の２次元コード１６ａを検出する。検出部１１１は、その他の機能については、検出部５３と同様である。
【０２４６】
取得部１１２は、検出部１１１が検出したカラーコード１２ｂに対応する機器情報を、資産リスト４１から取得する。また、取得部１１２は、検出部１１１が検出した、追加登録コード１６が貼付された未登録コード１４のカラーコード１４ｂに対応する機器情報を、資産リスト４１から取得する。
【０２４７】
比較部１１３は、取得部１１２が取得した機器情報と、検出部１１１が検出した２次元コード１２ａ，１６ａが示す機器情報とを比較する。
【０２４８】
表示部１１４は、比較部１１３の比較結果を、棚卸される機器とともにディスプレイに表示する。表示部１１４は、その他の機能については、表示部５５と同様である。
【０２４９】
図１９は、タブレット端末による、棚卸および正式登録の動作例を示したフローチャートである。図１９のフローチャートは、図３のステップＳ１４で行われる棚卸処理を示している。すなわち、図１９のフローチャートは、追加登録コード１６が未登録コード１４に貼付された後に実施される棚卸処理を示している。
【０２５０】
図１９のフローチャートは、図１３のフローチャートと異なる部分のみ示している。例えば、図１９のフローチャートは、図１３のステップＳ６１〜Ｓ６４の処理を実行し、その後ステップＳ９１の処理を実行する。また、図１９のフローチャートは、ステップＳ９６の処理を実行した後、図１３のステップＳ６９，Ｓ７０の処理を実行する。
【０２５１】
検出部１１１は、カメラで映し出される機器に貼付された２次元コードとカラーコードとを検出する（ステップＳ９１）。
【０２５２】
なお、検出部１１１は、登録済コード１２のカラーコード１２ｂと、追加登録コード１６が貼付された未登録コード１４のカラーコード１４ｂとを区別して検出できない。未登録コード１４は、カラーコード１２ｂとカラーコード１４ｂとを区別するためのカラーコード１４ａの上に追加登録コード１６が貼付され、カラーコード１４ａが撮影されなくなっているからである。このため、検出部１１１は、カメラで映し出されるすべての機器に貼付されたカラーコードと２次元コードとを検出する。
【０２５３】
次に、取得部１１２は、ステップＳ９１で検出部１１１によって検出されたカラーコードに対応する機器情報を、記憶部５７に記憶されている資産リスト４１を参照して取得する（ステップＳ９２）。
【０２５４】
次に、比較部１１３は、ステップＳ９１で検出部１１１が検出した２次元コードが示す機器情報と、ステップＳ９２で取得部１１２が資産リスト４１を参照して取得した機器情報とを比較する（ステップＳ９３）。
【０２５５】
ここで、比較部１１３は、ステップＳ９１で検出部１１１が検出した２次元コードが示す機器情報と、ステップＳ９２で取得部１１２が資産リスト４１を参照して取得した機器情報とが一致していれば、未登録コード１４に適切な追加登録コード１６が貼付されていると判断できる。一方、比較部１１３は、ステップＳ９１で検出部１１１が検出した２次元コード１６ａが示す機器情報と、ステップＳ９２で取得部１１２が資産リスト４１を参照して取得した機器情報とが一致していなければ、未登録コード１４に間違った追加登録コード１６が貼付されていると判断できる。
【０２５６】
なお、検出部１１１が検出した登録済コード１２の２次元コード１２ａが示す機器情報と、取得部１１２が資産リスト４１を参照して取得した機器情報は、図２のステップＳ２で対応付けられて登録されたものであり、必ず一致していると判断される。
【０２５７】
次に、検出部１１１は、ステップＳ９１で検出した登録済コード１２のカラーコード１２ｂおよびカラーコード１４ｂと、図１３のステップＳ６４で受信した資産リスト４１とを突き合わせる（ステップＳ９４）。当該ステップは、図１３のステップＳ６６と同様の処理であり、その説明を省略する。
【０２５８】
次に、表示部１１４は、ステップＳ９４での検出部１１１の検出結果に基づいて、タブレット端末１ｅのディスプレイに、棚卸結果を表示する（ステップＳ９５）。また、表示部１１４は、ステップＳ９３での比較部１１３の比較結果に基づいて、タブレット端末１ｅのディスプレイに、追加登録コード１６の貼付結果を表示する（ステップＳ９５）。なお、検出部１１１の検出結果に基づく棚卸結果の表示は、図１３のステップＳ６７と同様であるので、その説明を省略する。
【０２５９】
図２０は、タブレット端末の棚卸画面例を示した図である。図２０において、図１６と同じものには同じ符号が付してある。以下では、図１６と異なる部分について説明する。
【０２６０】
端末１２１，１２２は、タブレット端末１ｅのカメラによって撮影されている機器を示している。端末１２１，１２２の近傍には、比較部１１３の比較結果を示した「貼付エラー」が表示されている。「貼付エラー」は、追加登録コード１６の貼り間違えがあることを示している。
【０２６１】
図２０の例の場合、端末１２１に貼付されている未登録コード１４に、端末１２２に貼付されている未登録コード１４に貼付すべき追加登録コード１６が貼付されている可能性がある。また、端末１２２に貼付されている未登録コード１４に、端末１２１に貼付されている未登録コード１４に貼付すべき追加登録コード１６が貼付されている可能性がある。
【０２６２】
なお、端末１２１，１２２の未登録コード１４に、追加登録コード１６の貼り間違えがなかった場合、端末１２１，１２２の近傍には、例えば、「ＯＫ」、「ＮＧ」、または「未完了」の棚卸結果が表示されることになる。
【０２６３】
棚卸結果１２３は、資産番号と、その棚卸結果と、追加登録コード１６の貼付エラーとを示している。資産番号は、端末１０１ａ〜１０１ｄ，１２１，１２２に割り当てられたユニークコードを示している。資産番号の右横には、「ＯＫ」、「ＮＧ」、「未完了」の棚卸結果と、「貼付エラー」の比較結果が表示されている。
【０２６４】
図１９の説明に戻る。次に、更新部５４は、受信した資産リスト４１を更新する（ステップＳ９６）。なお、更新部５４の動作は、図１３のステップＳ６８と同様であるので、その説明を省略する。
【０２６５】
このように、クライアントの棚卸の際、追加登録コード１６の貼付結果を表示することにより、棚卸の精度を向上することができる。例えば、追加登録コード１６の貼り間違え（貼付エラー）が発見された場合、クライアントは、追加登録コード１６を適切な未登録コード１４に貼り直すことができる。
【０２６６】
なお、タブレット端末１ｅは、第１の実施の形態で説明した図１３のステップＳ６５〜Ｓ６８の処理（例えば、この処理を棚卸モードＭ１と呼ぶ）と、第２の実施の形態で説明したステップＳ９１〜Ｓ９６の処理（例えば、この処理を棚卸モードＭ２と呼ぶ）とのどちらを行うかの設定を、クライアントから受付けるようにしてもよい。例えば、タブレット端末１ｅは、クライアントから、棚卸モードＭ１の設定を受付けた場合、図１６に示したように、ディスプレイに棚卸結果を表示することになる。タブレット端末１ｅは、クライアントから、棚卸モードＭ２の設定を受付けた場合、図２０に示したように、ディスプレイに棚卸結果と、追加登録コード１６の貼付結果とを表示することになる。
【０２６７】
［第３の実施の形態］
次に、本発明の第３の実施の形態について、図面を参照して説明する。第１の実施の形態では、クライアントは、追加登録コード１６を未登録コード１４に貼付する際、コード１４ｃとコード１６ｂを参照した。第３の実施の形態では、クライアントは、コード１４ｃとコード１６ｂを参照しなくても、タブレット端末１ｅで追加登録コード１６の２次元コード１６ａを撮影することによって、追加登録コード１６を貼付すべき未登録コード１４を知ることができる。
【０２６８】
例えば、クライアントは、タブレット端末１ｅで、追加登録コード１６が有する２次元コード１６ａを撮影する。その後、クライアントは、タブレット端末１ｅで機器を撮影する。タブレット端末１ｅで撮影した機器に、先程撮影した２次元コード１６ａ（追加登録コード１６）を貼付すべき未登録コード１４が貼付されていれば、タブレット端末１ｅは、その機器の未登録コード１４に、追加登録コード１６を貼付するよう指示する。
【０２６９】
図２１は、第３の実施の形態に係るタブレット端末の機能ブロックの一例を示した図である。図２１において、図６と同じものには同じ符号が付してある。以下では、図２１と異なる部分について説明する。
【０２７０】
検出部１３１は、追加登録コード１６の２次元コード１６ａを検出する。検出部１３１は、その他の機能については、検出部５３と同様である。
【０２７１】
取得部１３２は、検出部１３１が検出した２次元コード１６ａが示す機器情報に基づいて、記憶部５７に記憶された資産リスト４１を参照し、対応するユニークコードを取得する。
【０２７２】
表示部１３３は、カメラが撮影する資産において、検出部１３１が検出する未登録コード１４のカラーコード１４ｂに、取得部１３２が取得したユニークコードを示すものが存在する場合、その未登録コード１４の近傍に、追加登録コード１６を貼付するようディスプレイに表示する。
【０２７３】
図２２は、タブレット端末による、追加登録コードの貼付指示の動作例を示したフローチャートである。図２２のフローチャートは、例えば、図３で説明したステップＳ１３の追加登録コード１６の貼付の際に実行され、クライアントによって、図１５に示したＱＲ貼付ボタン９３がタップされると処理が実行される。
【０２７４】
通信部５６は、情報処理装置１ａに対し、資産リスト４１の送信要求を行う（ステップＳ１０１）。なお、情報処理装置１ａは、タブレット端末１ｅから資産リスト４１の送信要求を受信すると、記憶部３４に記憶している資産リスト４１をタブレット端末１ｅへ送信する。
【０２７５】
次に、通信部５６は、情報処理装置１ａから資産リスト４１を受信する（ステップＳ１０２）。通信部５６は、受信した資産リスト４１を記憶部５７に格納する。
【０２７６】
次に、検出部１３１は、追加登録コード１６の２次元コード１６ａを検出する（ステップＳ１０３）。２次元コード１６ａは、追加登録コード１６が未登録コード１４に貼付される前のものである。
【０２７７】
図２３は、２次元コードを検出するための画面例を示した図である。表示部１３３は、例えば、図１５に示したＱＲ貼付ボタン９３がタップされると、図２３の画面をディスプレイに表示する。
【０２７８】
図２３には、枠１４１が示してある。枠１４１は、検出部１３１が追加登録コード１６の２次元コード１６ａ（ＱＲコード）を検出するための枠である。クライアントが、２次元コード１６ａを枠１４１に収まるように撮影すると、検出部１３１は、枠１４１内の２次元コード１６ａを検出する。
【０２７９】
図２２の説明に戻る。次に、取得部１３２は、ステップＳ１０３で検出部１３１が検出した２次元コード１６ａが示す機器情報に基づいて、記憶部５７に記憶されている資産リスト４１を参照し、対応するユニークコードを取得する（ステップＳ１０４）。
【０２８０】
次に、検出部１３１は、カメラで撮影されている機器に貼付されている未登録コード１４のカラーコード１４ｂを検出する（ステップＳ１０５）。
【０２８１】
図２４は、カラーコードを撮影する前の画面例を示した図である。表示部１３３は、例えば、図２３の画面例において、２次元コード１６ａが検出部１３１によって検出されると、図２４の画面をディスプレイに表示する。
【０２８２】
図２４には、スタートボタン１４２が示してある。検出部１３１は、図２４に示すスタートボタン１４２がタップされると、カメラで撮影されるカラーコード１４ｂの検出を開始する。
【０２８３】
図２２の説明に戻る。次に、表示部１３３は、ステップＳ１０４で取得されたユニークコードと、ステップＳ１０５で検出されたカラーコードが示すユニークコードとが一致するか否か判断する（ステップＳ１０６）。すなわち、表示部１３３は、撮影された２次元コード１６ａの示す機器情報を持った機器が、カメラで撮影されているか否か判断する。
【０２８４】
表示部１３３は、ステップＳ１０４で取得されたユニークコードと、ステップＳ１０５で検出されたカラーコードが示すユニークコードとが一致する場合、ステップＳ１０７に移行する。表示部１３３は、ステップＳ１０４で取得されたユニークコードと、ステップＳ１０５で検出されたカラーコードが示すユニークコードとが一致しない場合、ステップＳ１０８に移行する。
【０２８５】
次に、表示部１３３は、ステップＳ１０５で検出部１３１が検出したカラーコード１４ｂを有する未登録コード１４が貼付された機器の近傍に、追加登録コード１６の貼付対象機器である旨の表示を行う（ステップＳ１０７）。
【０２８６】
図２５は、貼付対象機器を指示した画面例を示した図である。表示部１３３は、例えば、図２４のスタートボタン１４２がタップされ、機器がカメラで撮影されると表示されると、図２５の画面例をディスプレイに表示する。
【０２８７】
図２５には、カメラで映し出された機器１４３ａ〜１４３ｅが示してある。機器の近傍（未登録コード１４の近傍）には、例えば、図２３で撮影した２次元コード１６ａを貼付すべき機器が指示されている。例えば、図２５に示す「丸」は、２次元コード１６ａを貼付すべき機器を示し、「バツ」は、２次元コード１６ａを貼付すべきでない機器を示している。
【０２８８】
これにより、クライアントは、例えば、「丸」が表示されている機器の未登録コード１４に、追加登録コード１６を貼付すればよいことが分かる。
【０２８９】
なお、タブレット端末１ｅのディスプレイに、２次元コード１６ａを貼付すべき機器が表示されない場合、例えば、クライアントは、タブレット端末１ｅのカメラの撮影方向を変え、他の２次元コード１６ａを貼付すべき機器を探す。
【０２９０】
図２２の説明に戻る。次に、検出部１３１は、終了ボタンがタップされたか否か判断する（ステップＳ１０８）。例えば、検出部１３１は、図２５に示した終了ボタン１４４がタップされたか否か判断する。検出部１３１は、終了ボタン１４４がタップされた場合、図９のフローチャートの処理を終了する。検出部１３１は、終了ボタン１４４がタップされなかった場合、ステップＳ１０５の処理へ移行する。
【０２９１】
このように、タブレット端末１ｅは、追加登録コード１６を貼付すべき機器（未登録コード１４が貼付された機器）を指示することにより、クライアントは、容易に追加登録コード１６を未登録コード１４に貼付することができる。また、クライアントの追加登録コード１６の貼り間違えを防止することができる。
【０２９２】
なお、上記第１の実施の形態から第３の実施の形態では、機器の棚卸を例に説明したがこれに限られない。本発明は、例えば、クライアントが有する机や文房具など、他の物品の棚卸にも適用できる。また、本発明は、棚卸に限らず、ユーザが管理したい対象物の管理にも適用できる。
【符号の説明】
【０２９３】
１，２：事業所、１ａ：情報処理装置、１ｂ：端末装置、１ｃ：印刷装置、１ｄ，３：ネットワーク、１ｅ：タブレット端末、１１，１３，１５：台紙、１２，１８ａ，１８ｂ，１８ｄ：登録済コード、１２ａ，１６ａ：２次元コード、１２ｂ，１４ａ，１４ｂ：カラーコード、１２ｃ，１４ｃ，１６ｂ：コード、１４，１８ｃ：未登録コード、１７ａ〜１７ｄ，１９ａ〜１９ｄ：資産、２１：点線枠、３１：生成部、３２：印刷部、３３，５６：通信部、３４，５７：記憶部、４１：資産リスト、５１：撮影部、５２：入力部、５３，１１１：検出部、５４：更新部、５５，１１４，１３３：表示部、１１２，１３１：検出部、１１３：比較部、１１２，１３２：取得部
【要約】
資産等の管理対象物のより効率的な管理を行う。
記憶部３４には、クライアントが有する管理対象物に関する属性情報が、一意の識別情報に対応付けて記憶されている。生成部３１は、属性情報を示す２次元コードと、属性情報が対応付けられた識別情報を示すカラーコードとを有する、属性情報が記憶部３４に記憶されている管理対象物に貼付される第１のコードを生成する。また、生成部３１は、属性情報が対応付けられていない識別情報を示すカラーコードを有する、属性情報が記憶部３４に記憶されていない管理対象物に貼付される第２のコードを生成する。【図１】
0005587516.tif 000002
【図２】
0005587516.tif 000003
【図３】
0005587516.tif 000004
【図４】
0005587516.tif 000005
【図５】
0005587516.tif 000006
【図６】
0005587516.tif 000007
【図７】
0005587516.tif 000008
【図８】
0005587516.tif 000009
【図９】
0005587516.tif 000010
【図１０】
0005587516.tif 000011
【図１１】
0005587516.tif 000012
【図１２】
0005587516.tif 000013
【図１３】
0005587516.tif 000014
【図１４】
0005587516.tif 000015
【図１５】
0005587516.tif 000016
【図１６】
0005587516.tif 000017
【図１７】
0005587516.tif 000018
【図１８】
0005587516.tif 000019
【図１９】
0005587516.tif 000020
【図２０】
0005587516.tif 000021
【図２１】
0005587516.tif 000022
【図２２】
0005587516.tif 000023
【図２３】
0005587516.tif 000024
【図２４】
0005587516.tif 000025
【図２５】
0005587516.tif 000026